(57)【要約】  少なくとも２種の香料成分を含み、既知のSandman Classifier（ＳＣ）値が少なくとも１．３５である香料組成物。好ましい香料組成物は、１．３５〜約１５０の、より特定的には１．３５〜約７５の、さらに特定的には１．３５〜約３の、ＳＣ値を示す。組成物は、睡眠の質を向上させる。【特許請求の範囲】
【請求項１】
少なくとも２種の、より特定的には少なくとも５種の、さらに特定的には１０種以上の、香料成分を含み、既知のSandman Classifier（ＳＣ）値が少なくとも１．３５である、香料組成物。
【請求項２】
既知のＳＣ値の香料成分が、香料組成物の０．１重量％〜１００重量％、より特定的には８．５重量％〜１００重量％、さらに特定的には３４重量％〜７１重量％に相当する、請求項１に記載の香料組成物。
【請求項３】
少なくとも重量で０．０１％の、以下の群から選び出される香料材料：
Ａ）香料組成物中で使用される香水成分の総量を基にして約１重量％〜約３０重量％、より特定的には約１．２重量％〜２８．９重量％の、少なくとも１種の柑橘調の成分、とりわけ以下からなる群から選択される柑橘調の成分：ベルガモット油、エッセンス、エキス、ベース、代用物または代替物、例えばBERGAMOT OIL ITALY EXPRESSED；BERGAMOT REC ABX5638；BERGAMOTE GIVCO 104/4；CITRAL LEMAROME N；CITRAL TECH；CITRATHAL R；CITRONELLYL NITRILE；CLONAL；CYMENE PARA；DIHYDRO MYRCENOL；DIMETHYL OCTENONE；DIMETOL；FLOROPAL；グレープフルーツ油、エッセンス、エキス、代替物または代用物、例えばGRAPEFRUIT JUICE SUPER CONC 7108AまたはGRAPEFRUIT OIL COSMOS；レモン油、エッセンス、エキス、ベース、代用物または代替物、例えばLEMON OIL CALIFORNIA TYPE DISTLD PURE；LEMON OIL ITALIAN ORPUR COSMOS；LEMON OIL RECONSTITUTION 1385；LEMON SPANISH DQ (AC) XN 41482TT；LEMONILE；LINALOOL OXIDE；LINALYL ACETATE SYNTHETIC；アオモジ油、エッセンス、エキス、代替物または代用物、例えばLITSEA CUBEBA OIL CHINA；マンダリン油、エッセンス、エキス、ベース、代用物または代替物、例えばMANDARIN ARTESSENCE OIL；MANDARIN OIL GREEN BRAZIL ORPUR；MANDARIN OIL ITALY COLOURLESS MD ORPUR；MANDARIN OIL WASHED COSMOS；MANDARINAL 32048 SAE；MANDARINAL 32048 SAE/2；MANDARINAL MATCH CF；METHYL PAMPLEMOUSSE；MYRCENE 90；オレンジ油、エッセンス、エキス、ベース、代用物または代替物、例えばORANGE 49；ORANGE ALDEHYDE；ORANGE CALIFORNIAN DQ (AC) XN 41228TT；ORANGE OIL BRAZIL；ORANGE OIL COLORLESS N.S.；ORANGE OIL FLORIDA；ORANGE SAVON CONC OIL；ORANGE TERPENELESS DQ (AC) 41483TT；ORANGE TERPENES DISTILLED；プチグレン油、エッセンス、エキス、ベース、代替物または代用物、例えばPETITGRAIN CITRONNIER OIL ORPUR；PRECYCLEMONE B；PRENYL ACETATE；RHUBAFURAN；タマリンド油、エッセンス、エキス、ベース、代替物または代用物、例えばTAMARINE AB 8212；タンジェリン油、エッセンス、エキス、エッセンス、ベース、代替物または代用物、例えばTANGERINE SOUTH AFRICAN DQ AC XN 41957TT；TERPINENE GAMMA；TERPINOLENE；およびTERPINYL ACETATE；
および、以下に表示する量の、群Ｂ１〜Ｂ２０の少なくとも５つからの少なくとも１種の成分：
Ｂ１）香料組成物中で使用される香水成分を基にして約０．０１重量％〜約１．５重量％、より特定的には約０．０１重量％〜約１．４１重量％の、以下からなる群から選択される少なくとも１種のアルデヒド調の成分：ALDEHYDE C 10 DECYLIC；ALDEHYDE C 11 UNDECYLENIC；ALDEHYDE C 110 UNDECYLIC；ALDEHYDE C 12 LAURIC；ALDEHYDE C 12 MNA PURE；ALDEHYDE C 8 OCTYLIC FOOD GRADE；ALDEHYDE C 9 ISONONYLIC；ALDEHYDE C 9 NONYLIC FOOD GRADE；ALDEHYDE C 90 NONENYLIC 1%/TEC；ALDEHYDE C12 (DODECANAL)；ALDEHYDE ISO C 11；マンダリンアルデヒド、例えばALDEHYDE MANDARINE 10%/TEC；トランス−４−デセナール、例えばDECENAL-4-TRANS、DECENAL-4-TRANS 10%/TEC；DIHYDROFARNESAL；ドデカナール、例えばDODECENAL 10%/TEC；MYRALDENE；およびTANGERINOL；
Ｂ２）香料組成物中で使用される香水成分を基にして約０．０１重量％〜約２５重量％、より特定的には約０．０１重量％〜約２２．４９重量％の、以下からなる群から選択される少なくとも１種のアンバー調の成分：アンバーケタール、例えばAMBERKETAL 1%/TEC；AMBERKETAL IPM；アンバーマックス、例えばAMBERMAX 10%/TEC、AMBERMAX 50%/DOWANOL TPM；アンブロセニド、例えばAMBROCENIDE 10%/DPG；AMBROFIX；AMBROFIX FLAKES；ベランブレ、例えばBELAMBRE 50%/IPM；BOISAMBRENE FORTE；CEDRYL ACETATE LIQUID；CEDRYL METHYL ETHER；CETALOX；ISO E SUPER；KARANAL；KEPHALIS；TIMBEROL；TRIMOFIX O；
Ｂ３）香料組成物中で使用される香水成分を基にして約０．０１重量％〜約１．５重量％、より特定的には約０．０１重量％〜約１．４１重量％の、以下からなる群から選択される少なくとも１種のアニマリック／レザー調の成分：ANIMALIS 1745 SUBST. PMF 2；ケード油、エッセンス、エキス、代替物、代用物、例えばCADE OIL SPAIN；GUAIACOL；INDOFLOR；インドール、例えばINDOLE、INDOLE 1%/TEC；インドレン、例えばINDOLENE 50%/CASTOR OIL；スエーデラル成分、例えばSUEDERAL LT 0710；
Ｂ４）香料組成物中で使用される香水成分を基にして約０．０１重量％〜約０．２重量％、より特定的には約０．０１重量％〜約０．１６重量％の、以下からなる群から選択される少なくとも１種のアニス調の成分：ANETHOLE；ANISE STAR OIL；ANISIC ALDEHYDE；ANISYL ACETATE；DIHYDRO ANETHOLE；ESTRAGOLE；ウイキョウ油、エッセンス、エキス、ベース、代替物または代用物、例えばFENNEL SWEET 50 % DQ (AC) 24190TT；FENNEL SWEET DQ (AC) N 41632TT；FENNEL OIL SWEET；FENNEL OIL SWEET TECH；
Ｂ５）香料組成物中で使用される香水成分を基にして約０．０１重量％〜約０．２重量％、より特定的には約０．０１重量％〜約０．１３重量％の、以下からなる群から選択される少なくとも１種のバルサム調の成分：ベンゾイン油油、エッセンス、エキス、代替物または代用物、例えばBENZOIN SI GU ETA 50% BB AAF0515 41235EH；BENZYL ALCOHOL；BENZYL CINNAMATE；オリバナム油、エッセンス、エキス、代替物または代用物、例えばOLIBANUM COEUR DEP FREE 50%/TEC；OLIBANUM OIL SOMALIA ORPUR；PHENYL ETHYL PHENYL ACETATE；
Ｂ６）香料組成物中で使用される香水成分を基にして約０．０１重量％〜約１０重量％、より特定的には約０．０１重量％〜約８．１３重量％の、以下からなる群から選択される少なくとも１種のカンファー／アロマ調の成分：アルモワーズ油、エッセンス、エキス、代替物または代用物、例えばARMOISE OIL MOROCCO ORPUR COSMOS；樟脳および樟脳油、エッセンス、エキス、代替物または代用物、例えばCAMPHOR；CAMPHOR OIL WHITE；ユーカリプトールおよびユーカリプトール油、エッセンス、エキス、代替物または代用物、例えばEUCALYPTOL；EUCALYPTUS GLOBULUS OIL CHINA COSMOS；ラバンジン油、エッセンス、エキス、代替物または代用物、例えばLAVANDIN BRIALIS DQ (AC) XN 41665TT；LAVANDIN GROSSO OIL FRANCE ORPUR；LAVANDIN RGV 4；ラベンダー油、エキス、エッセンス、代替物または代用物、例えばLAVENDER DQ (AC) XN 41569TT；ローズマリー油、エッセンス、エキス、代替物または代用物、例えばROSEMARY OIL；ROSEMARY OIL RECONST；ニオイヒバ油、エッセンス、エキス、代替物または代用物、例えばTHUJA OIL KOREA；
Ｂ７）香料組成物中で使用される香水成分を基にして約３０重量％〜約８０重量％、より特定的には約３２重量％〜約７９重量％の、以下からなる群から選択される少なくとも１種のフローラル調の成分：ACETAL CD；AMYL CINNAMIC ALDEHYDE；AMYL SALICYLATE；AURANTIOL PURE BENZYL ACETATE；BENZYL SALICYLATE；；BOURGEONAL；CITRONELLOL；CITRONELLYL ACETATE；CRESYL METHYL ETHER PARA；CYCLAMEN ALDEHYDE EXTRA；CYCLOHEXAL；CYCLOHEXYL SALICYLATE；DIMETHYL ANTHRANILATE；DIMETHYL PHENYL THYL CARBINOL；DUPICAL；ETHYL LINALOOL；FLOROSA；FLOROSA HC；GERANIOL；ゼラニウム油、エッセンス、エキス、代替物または代用物、例えばGERANIUM 230/3 MOD；GERANIUM ABQ5629；GERANIUM BOURBON DQ (AC) XN 41563TT；GERANODYLE；GERANYL ACETATE；GERANYL BUTYRATE；HEDIONE；HEDIONE HC；HEXENYL-3-CIS SALICYLATE；HEXYL CINNAMIC ALDEHYDE；HEXYL CINNAMIC ALDEHYDE DQ AC XI 41505TT；HEXYL SALICYLATE；HYDROXYCITRONELLAL；ISOBUTYL PHENYL ACETATE；ISOBUTYL SALICYLATE；JASMATONE；ジャスミン油、エッセンス、エキス、代替物または代用物、例えばJASMIN ABSOLUTE DQ (AC) 41568TT；JASMIN ARGENT 2；JASMONE CIS；JASMONYL；JASMOPYRANE FORTE；LILIALおよびリリアール代用物；LINALOOL；MEFROSOL；METHYL ANTHRANILATE；METHYL ANTHRANILATE EXTRA；METHYL BENZOATE；METHYL PHENYL ACETATE；ネロリ油、エッセンス、エキス、代替物または代用物、例えばNEROLI ESSENTIAL BASE AB 7632；NEROLI PHASE ESS；NEROLINE CRYSTALS；NEROLIONE；オレンジ油、エッセンス、エキス、代替物または代用物、例えばORANGE FLOWER TEC AB 2169E；ORANGER CRYSTALS；ORANGER FLEUR CREME 1103/20；PELARGOL；PEONILE；PETALIA；PHENYL ETHYL ACETATE；PHENYL ETHYL ALCOHOL；PHENYL ETHYL ISOVALERATE；PHENYL ETHYL SALICYLATE CRYSTALS；ROSACETOL；ROSALVA；バラ油、エッセンス、エキス、代替物または代用物、例えばROSE BASE ABF0339A - K182572；ROSE TW 62/10/20；SUPER MUGUET；TERPINEOL PURE；TETRAHYDRO LINALOOL；VERDANTIOL；YARA YARA；イランイラン油、エッセンス、エキス、代替物または代用物、例えばYLANG AB 0388A；YLANG ECO ESSENCE；
Ｂ８）香料組成物中で使用される香水成分を基にして約０．０１重量％〜約２２重量％、より特定的には約０．０１重量％〜約２１．０８重量％の、以下からなる群から選択される少なくとも１種のフルーツ調の成分：ACETATE C 6 HEXYLIC；AGRUMEX；ALLYL AMYL GLYCOLATE；ALLYL CAPROATE；ALLYL CYCLOHEXYL PROPIONATE；ALLYL OENANTHATE；AMYL BUTYRATE；APHERMATE；リンゴ油、エッセンス、エキス、代替物または代用物、例えばAPPLE BASE ABF1016 - K108004；バナナ油、エッセンス、エキス、代替物または代用物、例えばBANANA BASE ABF0961A - K108784；BENZYL BUTYRATE；BENZYL ISOBUTYRATE；BENZYL PROPIONATE；BUTYL ACETATE；BUTYRIC ACID；カシス油、エッセンス、エキス、代替物または代用物、例えばCASSIS BASE 345-F CS/4/20；CASSIS BASE 345B RECO TEC AB 8408D；COGNAC WHITE OIL EXTRA DQ (AC) 41547TT；CYCLOGALBANATE；DAMASCENONE；DAMASCONE ALPHA；DAMASCONE BETA；DAMASCONE DELTA；DECALACTONE DELTA；DECALACTONE GAMMA；デューフルーツ油、エッセンス、エキス、代替物または代用物、例えばDEWFRUIT /2；DEWFRUIT TEC AB 2927R LILIAL FREE；DIETHYL MALONATE；DIMETHYL BENZYL CARBINYL ACETATE；DIMETHYL BENZYL CARBINYL BUTYRATE；DODECALACTONE DELTA；DODECALACTONE GAMMA；ETHYL ACETOACETATE；ETHYL BUTYRATE；ETHYL CAPROATE；ETHYL CAPRYLATE；ETHYL ISOAMYL KETONE；ETHYL ISOBUTYRATE；ETHYL METHYL-2-BUTYRATE；ETHYL OENANTHATE；ETHYL PELARGONATE；ETHYL PROPIONATE；ETHYL SAFRANATE；FLOROCYCLENE；FRAISTONE；FRUCTONE；FRUITATE；GARDOCYCLENE；GIVESCONE；グアバ油、エッセンス、エキス、代替物または代用物、例えばGUAVE DUPLICATION /2；HEXENYL-3-CIS BUTYRATE；HEXENYL-3-CIS ISOBUTYRATE；HEXYL BUTYRATE；HEXYL ISOBUTYRATE；ISOAMYL ACETATE EXTRA；ISOAMYL BUTYRATE FR；JASMACYCLENE；MANZANATE；メロン油、エッセンス、エキス、代替物または代用物、例えばMELON HONEYDEW/2；METHOXY PHENYL BUTANONE；METHYL HEPTENONE PURE；METHYL HEXYL KETONE；METHYL-2-PENTENOIC ACID；2-NECTARYL；OCTALACTONE GAMMA；PEACH PURE；PHENOXY ETHYL ISOBUTYRATE；PHENYL ETHYL ISOBUTYRATE；PRUNOLIDE；RASPBERRY KETONE (N112)；STRAWBERRY PURE；
Ｂ９）香料組成物中で使用される香水成分を基にして約０．００１重量％〜約０．０１重量％、より特定的には約０．００１重量％〜約０．００２重量％の、以下からなる群から選択される少なくとも１種のキノコ調の成分：AMYL VINYL CARBINOL；OCIMENE
Ｂ１０）香料組成物中で使用される香水成分を基にして約０．０１重量％〜約１重量％、より特定的には約０．０１重量％〜約０．８６重量％の、以下からなる群から選択される少なくとも１種のグルマン調の成分：ACETOIN；アセチルピラジン、例えばACETYL PYRAZINE 1%/TEC；BENZALDEHYDE；BUTYL BUTYRO LACTATE；チョコレート油、エッセンス、エキス、代替物または代用物、例えばCHOCOLAT NOIR 1130 TEC/3；CORYLONE DRIED；CYCLOTENE；エチルマルトール、例えばETHYL MALTOL；ETHYL MALTOL 1%/BA；ホモフロノール、例えばHOMOFURONOL 20%/TEC；ヒドロキシエチルメチルチアゾール、例えばHYDROXY ETHYL METHYL THIAZOL 10%/TEC；ISOBUTAVAN；MALTYL ISOBUTYRATE；
Ｂ１１）香料組成物中で使用される香水成分を基にして約０．０１重量％〜約５重量％、より特定的には０．０４１重量％〜約４．２８重量％の、以下からなる群から選択される少なくとも１種のグリーン調の成分：ACETAL E；ALCOHOL C 6 HEXYLIC；ALDEHYDE C 6 HEXYLIC FOOD GRADE；BUTYL QUINOLINE SECONDARY；CYCLAL C；DIPHENYL OXIDE；ELINTAAL；ETHYL DECADIENOATE；エチルジメチルピラジン、例えばPYRAZINE 1%/TEC；ガルバノン、例えばGALBANONE 10；GALBANONE PURE；GARDENOL；ヘキサナール−２−トランス、例えばHEXENAL-2-TRANS 10%/TEC；HEXENOL-2-TRANS；HEXENOL-3-CIS；HEXENYL-3-CIS ACETATE；HEXENYL-3-CIS BENZOATE；HEXENYL-3-CIS PROPIONATE；ISOCYCLOCITRAL；イソヘキシルメトキシピラジン、例えばISOHEXYLMETHOXY PYRAZINE 1%/TEC；LIFFAROME；LIGANTRAAL；MACEAL；METHYL OCTYNE CARBONATE；NEOFOLIONE；ノナジエナール、例えばNONADIENAL；NONADIENAL 1%/TEC；NONADIENOL-2,6；ノネナール−６−シス、例えばNONENAL-6-CIS 10%/TEC；NONENOL-6-CIS；プチグレン油、エッセンス、エキス、代替物または代用物、例えばPETITGRAIN ECO ESSENCE；PETITGRAIN OIL PARAGUAY；フェノキシアセトアルデヒド、例えばPHENOXY ACETALDEHYDE 50；フェニルアセトアルデヒド、例えばPHENYL ACETALDEHYDE 50%/PHENYL ETHYL ALC；PYRALONE；RESEDAL；ROSE OXIDE；ROSYRANE SUPER；STEMONE；TRICYCLAL；TRIFERNAL；UNDECATRIENE；UNDECAVERTOL；バイオレットニトリル、例えばVIOLET NITRILE 0.1%/TEC；VIOLET NITRILE 10%/TEC；VIRIDINE；
Ｂ１２）香料組成物中で使用される香水成分を基にして約０．０１重量％〜約０．５重量％、より特定的には０．０１重量％〜約０．１重量％の、以下からなる群から選択される少なくとも１種のハーブ調の成分：バジル油、エッセンス、エキス、代替物または代用物、例えばBASIL OIL EGYPT ORPUR；カモミール油、エッセンス、エキス、代替物または代用物、例えばCAMOMILE ENGLISH DQ (AC) XN 41528TT；CITRONELLAL；クラリセージ油、エッセンス、エキス、代替物または代用物、例えばCLARY SAGE OIL COSMOS；CLARY SAGE OIL FRANCE ORPUR；CYPRISATE；ユーカリ油、エキス、エッセンス、代替物または代用物、例えばEUCALYPTUS CITRIODORA OIL BRAZIL；HERBOXANE；PINOACETALDEHYDE；TANAISONE；タイム油、エッセンス、エキス、代替物または代用物、例えばTHYME OIL RED 40-45%；THYME WHITE DQ (AC) XN 41491TT；THYMOL CRYSTALS；
Ｂ１３）香料組成物中で使用される香水成分を基にして約０．０１重量％〜約５重量％、より特定的には約０．０１重量％〜約４．３重量％の、以下からなる群から選択される少なくとも１種のマリン／ウォータリー調の成分：ADOXAL；アズロン、例えばAZURONE 10%/TEC；CALONE 1951；FENNALDEHYDE；FLORALOZONE；FLORHYDRAL；MELONAL；SCENTENAL；TROPIONAL；VERNALDEHYDE；
Ｂ１４）香料組成物中で使用される香水成分を基にして約０．０１重量％〜約０．５重量％、より特定的には約０．０１重量％〜約０．４７重量％の、以下からなる群から選択される少なくとも１種のミント調の成分：ブチュ葉油、エッセンス、エキス、代替物または代用物、例えばBUCHU LEAF OIL SOUTH AFRICA COSMOS；CARVONE LAEVO；ハッカ油、エッセンス、エキス、代替物または代用物、例えばCORNMINT OIL DEMENTHOLIZED；FRESKOMENTHE；ISOMENTHONE DL；MENTHOL LAEVO；MENTHOL-DL；MENTHONE；MENTHYL ACETATE；ペパーミント油、エッセンス、エキス、代替物または代用物、例えばPEPPERMINT AM FAR WEST DQ AC 41624TT；PEPPERMINT AM MID WEST MIW DQ AC 41253TT；PEPPERMINT AM WILL REDIST DQ AC 24150TT；PEPPERMINT AM WILLAM NAT DQ AC 37968TT；PEPPERMINT AMER 9303 DQ (AC) 37934TT；PEPPERMINT CHINESE T'LES(EXCN)DQ 24329TT；PEPPERMINT CHINESE TR (CN) DQ 24109TT；PEPPERMINT CN TERPLESS FDC DQ AC 37921TT；PEPPERMINT HMF DQ 24817TT；PEPPERMINT INDIAN TPC-1 DQ AC 24049TT；PEPPERMINT OIL BLEND；PEPPERMINT PIP IND REC.FDC DQ AC 24040TT；スペアミント油、エッセンス、エキス、代替物または代用物、例えばSPEARMINT AM FW NAT DQ AC XN 41610TT；SPEARMINT OIL USA TYPE；
Ｂ１５）香料組成物中で使用される香水成分を基にして約０．０１重量％〜約５０重量％、より特定的には約０．０１重量％〜約４４．４３重量％の、以下からなる群から選択される少なくとも１種のムスク調の成分：AMBRETTOLIDE；CASHMERAN；COSMONE；シクロペンタデカノリド、例えばCYCLO PENTA DECANOLIDE DQ 1% PG；ETHYLENE BRASSYLATE；GALAXOLIDE；GALAXOLIDE S；HABANOLIDE；MUSCENONE；MUSK C14；SERENOLIDE；SILVANONE SUPRA；SYLKOLIDE；VELVIONE；
Ｂ１６）香料組成物中で使用される香水成分を基にして約０．０１重量％〜約１０重量％の、以下からなる群から選択される少なくとも１種のオリス調の成分：CETONE V；DIHYDRO IONONE BETA；IONONE BETA；IRISONE ALPHA；IRISONE PURE；ISORALDEINE 70；ISORALDEINE 95；ORIVONE；
Ｂ１７）香料組成物中で使用される香水成分を基にして約０．０１重量％〜約１重量％、より特定的には約０．０１重量％〜約０．４重量％の、以下からなる群から選択される少なくとも１種のスパイス調の成分：カルダモン油、エッセンス、エキス、代替物または代用物、例えばCARDAMOM SEED OIL ORPUR；CARDAMOM SUBSTITUTE 1527 F；CARDAMOME SUBSTITUT 1527 F/2；CARYOPHYLLENE；CINNAMIC ALCOHOL CINNAMIC ALCOHOL；CINNAMIC ALDEHYDE；シナモンリーフ油、エッセンス、エキス、代替物または代用物、例えばCINNAMON LEAF OIL WASHED ORPUR；クローブ油、エッセンス、エキス、代替物または代用物、例えばCLOVE BUD OIL；CLOVE LEAF OIL COLORLESS；CLOVE LEAF OIL RECTIFIED RB COSMOS；コリアンダー油、エッセンス、エキス、代替物または代用物、例えばCORIANDER SEEDS OIL ORPUR COSMOS；エレミ油、エッセンス、エキス、代替物または代用物、例えばELEMI RESINOID 50%/BB；ETHYL CINNAMATE；EUGENOL；ジンジャー油、エッセンス、エキス、代替物または代用物、例えばGINGER OIL INDIA ORPUR；GINGER ROOT FRESH CUT；ISOEUGENOL；IMETHYL CINNAMATE；METHYL ISOEUGENOL；MYSTIKAL；ナツメグ油、エッセンス、エキス、代替物または代用物、例えばNUTMEG OIL INDONESIA；胡椒油、エッセンス、エキス、代替物または代用物、例えばPEPPER BLACK OIL MADAGASCAR ORPUR；SZECHUAN PEPPER (ASH BARK) DQ AF 24070TT；
Ｂ１８）香料組成物中で使用される香水成分を基にして約０．０１重量％〜約０．５重量％、より特定的には約０．０１重量％〜約０．２１重量％の、以下からなる群から選択される少なくとも１種の硫黄調の成分：アンジェルク（Anjeruk）、例えばANJERUK 0.01%/TEC；コールカシス、例えばCORPS CASSIS 0.1%/TEC；CORPS CASSIS 10%/TEC；コールパンプルムース、例えばCORPS PAMPLEMOUSSE PURE 1%/TEC；CORPS PAMPLEMOUSSE PURE 10%/TEC；ジメチルスルフィド、例えばDIMETHYL SULFIDE；DIMETHYL SULFIDE 1%/TEC；GARDAMIDE；ラビエノキシム、例えばLABIENOXIME 1%/IPM-TEC；メルカプタン、例えばMERCAPTO-8 MENTHENE-1 PARA 0.1% IN TEC；METHYL ISOPROPYL THIAZOLE；ナルドゼステ（Nardozeste）油、エッセンス、エキス、代替物または代用物、例えばNARDOZESTE ABQ5031；NEOCASPIRENE EXTRA；NONIVAMIDE 1% TRIACETIN；オキサン、例えばOXANE 50%/TEC；PARADISAMIDE；パラメントン、例えばPARAMENTHONE 1%/TEC；
Ｂ１９）香料組成物中で使用される香水成分を基にして約０．０１重量％〜約１０重量％、より特定的には約０．２重量％〜約７．８３重量％の、以下からなる群から選択される少なくとも１種のスウィート／パウダリー調の成分：ACETOPHENONE；AUBEPINE PARA CRESOL；BICYCLO NONALACTONE；COUMARIN；エチルライトン、例えばETHYL LAITONE 1%/TEC；ETHYL VANILLIN；HELIOTROPIN；バニラ油、エッセンス、エキス、代替物または代用物、例えばVANILLA ABSOLUTE 20 FOLD DQ AC 41493TT；VANILLA S/ABS DEC 50% PG AAF0517 L228655；VANILLA SUP ABS DEC DQ P17 SB AC 41561TT；VANILLAL DQ (AF) 41319TT；VANILLIN；VANILLIN DQ (AF) 41320TT；バノリア（Vanolia）油、エッセンス、エキス、代替物または代用物、例えばVANOLIA BASE ABF0303B；VERATRIC ALDEHYDE；
Ｂ２０）香料組成物中で使用される香水成分を基にして約０．０１重量％〜約１５重量％、より特定的には約０．０１重量％〜約１０．３７重量％の、以下からなる群から選択される少なくとも１種のウッディ／パイン調の成分：BORNEOL；BORNYL ACETATE LIQUID；BUTYL CYCLOHEXANOL PARA；BUTYL CYCLOHEXYL ACETATE PARA；シダーウッド油、エッセンス、エキス、代替物または代用物、例えばCEDARWOOD OIL USA VIRGINIA TYPE ORPUR；CONIFERAN；EBANOL；EVERNYL；FENCHYL ACETATE；ガイアックウッド油、エッセンス、エキス、代替物または代用物、例えばGUAIACWOOD OIL PARAGUAY；ISONONANYL ACETATE ；JAVANOL；KOHINOOL；MENTHANYL ACETATE；METHYL CEDRYL KETONE；NOPYL ACETATE；OSYROL；OXYOCTALINE FORMATE；パチュリー油、エッセンス、エキス、代替物または代用物、例えばPATCHOULI OIL COLORLESS INDONESIA；PATCHOULI OIL IRONFREE INDONESIA COSMOS；PINENE ALPHA；PINENE BETA；RADJANOL；RADJANOL SUPER；テレピン油、エッセンス、エキス、代替物または代用物、例えばTURPENTINE OIL RECTIFIED；VERTOFIX COEUR；ベチバー油、エッセンス、エキス、代替物または代用物、例えばVETIVER OIL HAITI ORPUR ORGANIC COSMOS；
および、任意に
Ｂ２１）香料組成物中で使用される香水成分を基にして約０．０１重量％〜約１０重量％の、以下からなる群から選択される少なくとも１種の成分：ALDEHYDE C12 （DODECANAL）；MENTHYL ACETATE；
を含む、請求項１または２に記載の香料組成物。
【請求項４】
請求項１〜３のいずれか１項に記載の香料組成物を含む、消費者用製品。
【請求項５】
以下からなる群から選択される、請求項４に記載の消費者用製品：洗濯物ケア製品、パーソナルケア製品、口腔ケア製品、空気ケア製品またはホームケア製品。
【請求項６】
請求項１または２で定義された香料組成物を含む請求項５に記載の空気清浄製品であって、重量で０．０１％〜２５％の香料組成物を含む、前記空気清浄製品。
【請求項７】
請求項１または２で定義された香料組成物を含む請求項５に記載の口腔ケア製品であって、重量で０．０１％〜６０％の香料組成物を含む、前記口腔ケア製品。
【請求項８】
請求項１または２で定義された香料組成物を含む請求項５に記載の衣類ケア製品であって、重量で０．０１％〜２０％の香料組成物を含む、前記衣類ケア製品。
【請求項９】
請求項１または２で定義された香料組成物を含む請求項５に記載のパーソナルケア製品であって、重量で０．０１％〜２０％の香料組成物を含む、前記パーソナルケア製品。
【請求項１０】
請求項１または２で定義された香料組成物を含む請求項５に記載のホームケア製品であって、重量で０．０１％〜３４％の香料組成物を含む、前記ホームケア製品。
【請求項１１】
香料組成物を調製する方法であって、機能性香料成分を組み合わせて、当該組み合わせが１．３５よりも大きいSandman Classifier値を有するようにするステップを含む、前記方法。
【請求項１２】
請求項１〜３のいずれか一項で定義された香料組成物の有効量の吸入を通じた、改善された睡眠の質を提供する方法。
【発明の詳細な説明】
【技術分野】
【０００１】
本発明は、睡眠の質に対処することに適した香料組成物、および該香料組成物を含有する消費者用製品に関する。
【背景技術】
【０００２】
香り成分および精油が気分状態に影響を及ぼすことが観測されており、とりわけ、それらがリラクゼーションおよび幸福の感情を生み出すことができると示唆されている。しかしながら、ヒトの匂いの知覚は主観的であり、文化的集団内の複数の個人がしばしば特定の匂いに共通の連想を共有する一方で、これらの連想は常に文化および地域を越えて認識されるわけではない。例えば、ラベンダーは、西欧の消費者には深いリラックス効果を引き出すことができるが、リラクゼーションとの関連性は他の地理的地域の人々には共有されない可能性がある。
【０００３】
香りのヒトの行動および情緒に対する一時的な有益な心理的効果が研究されているが、ごく少数の研究が、睡眠の質への香りの効果を実験に基づいて調べている。いくつかの研究は、匂いが睡眠の質にプラスの影響を有し得ることを示唆している。しかしながら、これらの研究は、単一成分の効果に、または、消費者用製品への組み込みに適切な香りに期待される快楽性能および精巧さを持たないごく基本的な成分の組み合わせに、主に依存していた。いくらかの研究が、睡眠パターンへの匂いの影響を調査するために脳波検査（ＥＥＧ）を使用して行われた。当技術分野でよく知られているとおり、ＥＥＧは、これによってリアルタイムな脳活動を頭皮の表面から高い時間分解能で測定する方法であり、したがって依然として最もよく使用される覚醒と睡眠との違いを記述する技術である。
【０００４】
先行技術が、ある匂いがヒトの対象の気分および情緒に影響を与え得、睡眠パターンにも影響し得ることを示唆する一方で、また、ＥＥＧが、匂いへの曝露に応答した脳活動を測定することができる技術であることが知られている一方で、本出願人の知る限りでは、先行技術は、快楽性能が高くかつ精巧な、睡眠の質の改善と関連する香料成分の組み合わせを選択するための信頼性のある客観的な方法を教示していない。
【発明の概要】
【０００５】
本出願人は、この先行技術における不足に対処したところ、睡眠の質を向上させ、かつ同時に快楽性能が高く精巧である、機能的な香料アコードを生み出すことを、香料製造者に可能にさせる手段を提供する。
【０００６】
したがって、第１の側面において、本発明は、少なくとも２種の、より特定的には少なくとも５種の、さらに特定的には１０種以上の、香料成分を含み、既知のSandman Classifier（ＳＣ）値が少なくとも１．３５である香料組成物を提供する。好ましい香料組成物は、１．３５〜約１５０の、より特定的には１．３５〜約７５の、さらに特定的には１．３５〜約３の、ＳＣ値を示す。
【発明を実施するための形態】
【０００７】
香料組成物のSandman Classifier（ＳＣ）値は、対象が該香料組成物を吸引した後で測定されたヒト対象の脳波活動から導出される。脳波活動は、標準の１０−２０電極法を使用してＥＥＧによって測定される。
【０００８】
ＳＣ値は以下の式によって規定される：
ＳＣ＝（（а１ｃｅ＋Θｃｅ）／δｔｅｍ）＋（Θ／а２）
式中：
а１ｃｅは、中心部電極Ｃ３、Ｃ４、Ｃｚにわたる８〜１２ヘルツの間の振動数を有するアルファ１脳波活動の振幅値を表し、
Θｃｅは、中心部電極Ｃ３、Ｃ４、Ｃｚにわたる４〜７ヘルツの間の振動数を有するシータ脳波活動の振幅値を表し、
δｔｅｍは、側頭部電極Ｔ７およびＴ８にわたる０．１〜３ヘルツの間の振動数を有するシータ脳波活動の振幅値を表し；および
Θ／а２は、全電極にわたる４〜７ヘルツの間の振動数を有するシータ脳波活動の振幅の１２〜１５ヘルツの間の振動数を有するアルファ２脳波活動の振幅値に対する比を表す。
【０００９】
本発明の特定の態様において、香料組成物は、以下から選択される香料成分：
【００１０】
Ａ）香料組成物中で使用される香水成分の総量を基にして約１重量％〜約３０重量％、より特定的には約１．２重量％〜２８．９重量％の、少なくとも１種の柑橘調の成分、とりわけ以下からなる群から選択される柑橘調の成分：
【００１１】
ベルガモット油、エッセンス、エキス、ベース、代用物または代替物、例えばBERGAMOT OIL ITALY EXPRESSED；BERGAMOT REC ABX5638；BERGAMOTE GIVCO 104/4；CITRAL LEMAROME N；CITRAL TECH；CITRATHAL R；CITRONELLYL NITRILE；CLONAL；CYMENE PARA；DIHYDRO MYRCENOL；DIMETHYL OCTENONE；DIMETOL；FLOROPAL；グレープフルーツ油、エッセンス、エキス、代替物または代用物、例えばGRAPEFRUIT JUICE SUPER CONC 7108AまたはGRAPEFRUIT OIL COSMOS；レモン油、エッセンス、エキス、ベース、代用物または代替物、例えばLEMON OIL CALIFORNIA TYPE DISTLD PURE；LEMON OIL ITALIAN ORPUR COSMOS；LEMON OIL RECONSTITUTION 1385；LEMON SPANISH DQ (AC) XN 41482TT；LEMONILE；LINALOOL OXIDE；LINALYL ACETATE SYNTHETIC；アオモジ油、エッセンス、エキス、代替物または代用物、例えばLITSEA CUBEBA OIL CHINA；マンダリン油、エッセンス、エキス、ベース、代用物または代替物、例えばMANDARIN ARTESSENCE OIL；MANDARIN OIL GREEN BRAZIL ORPUR；MANDARIN OIL ITALY COLOURLESS MD ORPUR；MANDARIN OIL WASHED COSMOS；MANDARINAL 32048 SAE；MANDARINAL 32048 SAE/2；MANDARINAL MATCH CF；METHYL PAMPLEMOUSSE；MYRCENE 90；オレンジ油、エッセンス、エキス、ベース、代用物または代替物、例えばORANGE 49；ORANGE ALDEHYDE；ORANGE CALIFORNIAN DQ (AC) XN 41228TT；ORANGE OIL BRAZIL；ORANGE OIL COLORLESS N.S.；ORANGE OIL FLORIDA；ORANGE SAVON CONC OIL；ORANGE TERPENELESS DQ (AC) 41483TT；ORANGE TERPENES DISTILLED；プチグレン油、エッセンス、エキス、ベース、代替物または代用物、例えばPETITGRAIN CITRONNIER OIL ORPUR；PRECYCLEMONE B；PRENYL ACETATE；RHUBAFURAN；タマリンド油、エッセンス、エキス、ベース、代替物または代用物、例えばTAMARINE AB 8212；タンジェリン油、エッセンス、エキス、エッセンス、ベース、代替物または代用物、例えばTANGERINE SOUTH AFRICAN DQ AC XN 41957TT；TERPINENE GAMMA；TERPINOLENE；およびTERPINYL ACETATE；
【００１２】
および、以下に表示する量の、群Ｂ１〜Ｂ２０の少なくとも５つからの少なくとも１種の成分：
【００１３】
Ｂ１）香料組成物中で使用される香水成分を基にして約０．０１重量％〜約１．５重量％、より特定的には約０．０１重量％〜約１．４１重量％の、以下からなる群から選択される少なくとも１種のアルデヒド調の成分：ALDEHYDE C 10 DECYLIC；ALDEHYDE C 11 UNDECYLENIC；ALDEHYDE C 110 UNDECYLIC；ALDEHYDE C 12 LAURIC；ALDEHYDE C 12 MNA PURE；ALDEHYDE C 8 OCTYLIC FOOD GRADE；ALDEHYDE C 9 ISONONYLIC；ALDEHYDE C 9 NONYLIC FOOD GRADE；ALDEHYDE C 90 NONENYLIC 1%/TEC；ALDEHYDE C12 (DODECANAL)；ALDEHYDE ISO C 11；マンダリンアルデヒド、例えばALDEHYDE MANDARINE 10%/TEC；トランス−4−デセナール、例えばDECENAL-4-TRANS、DECENAL-4-TRANS 10%/TEC；DIHYDROFARNESAL；ドデカナール、例えばDODECENAL 10%/TEC；MYRALDENE；およびTANGERINOL；
【００１４】
Ｂ２）香料組成物中で使用される香水成分を基にして約０．０１重量％〜約２５重量％、より特定的には約０．０１重量％〜約２２．４９重量％の、以下からなる群から選択される少なくとも１種のアンバー調の成分：アンバーケタール、例えばAMBERKETAL 1%/TEC；AMBERKETAL IPM；アンバーマックス、例えばAMBERMAX 10%/TEC、AMBERMAX 50%/DOWANOL TPM；アンブロセニド、例えばAMBROCENIDE 10%/DPG；AMBROFIX；AMBROFIX FLAKES；ベランブレ、例えばBELAMBRE 50%/IPM；BOISAMBRENE FORTE；CEDRYL ACETATE LIQUID；CEDRYL METHYL ETHER；CETALOX；ISO E SUPER；KARANAL；KEPHALIS；TIMBEROL；TRIMOFIX O；
【００１５】
Ｂ３）香料組成物中で使用される香水成分を基にして約０．０１重量％〜約１．５重量％、より特定的には約０．０１重量％〜約１．４１重量％の、以下からなる群から選択される少なくとも１種のアニマリック／レザー調の成分：ANIMALIS 1745 SUBST. PMF 2；ケード油、エッセンス、エキス、代替物、代用物、例えばCADE OIL SPAIN；GUAIACOL；INDOFLOR；インドール、例えばINDOLE、INDOLE 1%/TEC；インドレン、例えばINDOLENE 50%/CASTOR OIL；スエーデラル成分、例えばSUEDERAL LT 0710；
【００１６】
Ｂ４）香料組成物中で使用される香水成分を基にして約０．０１重量％〜約０．２重量％、より特定的には約０．０１重量％〜約０．１６重量％の、以下からなる群から選択される少なくとも１種のアニス調の成分：ANETHOLE；ANISE STAR OIL；ANISIC ALDEHYDE；ANISYL ACETATE；DIHYDRO ANETHOLE；ESTRAGOLE；ウイキョウ油、エッセンス、エキス、ベース、代替物または代用物、例えばFENNEL SWEET 50 % DQ (AC) 24190TT；FENNEL SWEET DQ (AC) N 41632TT；FENNEL OIL SWEET；FENNEL OIL SWEET TECH；
【００１７】
Ｂ５）香料組成物中で使用される香水成分を基にして約０．０１重量％〜約０．２重量％、より特定的には約０．０１重量％〜約０．１３重量％の、以下からなる群から選択される少なくとも１種のバルサム調の成分：ベンゾイン油、エッセンス、エキス、代替物または代用物、例えばBENZOIN SI GU ETA 50% BB AAF0515 41235EH；BENZYL ALCOHOL；BENZYL CINNAMATE；オリバナム油、エッセンス、エキス、代替物または代用物、例えばOLIBANUM COEUR DEP FREE 50%/TEC；OLIBANUM OIL SOMALIA ORPUR；PHENYL ETHYL PHENYL ACETATE；
【００１８】
Ｂ６）香料組成物中で使用される香水成分を基にして約０．０１重量％〜約１０重量％、より特定的には約０．０１重量％〜約８．１３重量％の、以下からなる群から選択される少なくとも１種のカンファー／アロマ調の成分：アルモワーズ油、エッセンス、エキス、代替物または代用物、例えばARMOISE OIL MOROCCO ORPUR COSMOS；樟脳および樟脳油、エッセンス、エキス、代替物または代用物、例えばCAMPHOR；CAMPHOR OIL WHITE；ユーカリプトールおよびユーカリプトール油、エッセンス、エキス、代替物または代用物、例えばEUCALYPTOL；EUCALYPTUS GLOBULUS OIL CHINA COSMOS；ラバンジン油、エッセンス、エキス、代替物または代用物、例えばLAVANDIN BRIALIS DQ (AC) XN 41665TT；LAVANDIN GROSSO OIL FRANCE ORPUR；LAVANDIN RGV 4；ラベンダー油、エキス、エッセンス、代替物または代用物、例えばLAVENDER DQ (AC) XN 41569TT；ローズマリー油、エッセンス、エキス、代替物または代用物、例えばROSEMARY OIL；ROSEMARY OIL RECONST；ニオイヒバ油、エッセンス、エキス、代替物または代用物、例えばTHUJA OIL KOREA；
【００１９】
Ｂ７）香料組成物中で使用される香水成分を基にして約３０重量％〜約８０重量％、より特定的には約３２重量％〜約７９重量％の、以下からなる群から選択される少なくとも１種のフローラル調の成分：ACETAL CD；AMYL CINNAMIC ALDEHYDE；AMYL SALICYLATE；AURANTIOL PURE BENZYL ACETATE；BENZYL SALICYLATE；BOURGEONAL；CITRONELLOL；CITRONELLYL ACETATE；CRESYL METHYL ETHER PARA；CYCLAMEN ALDEHYDE EXTRA；CYCLOHEXAL；CYCLOHEXYL SALICYLATE；DIMETHYL ANTHRANILATE；DIMETHYL PHENYL THYL CARBINOL；DUPICAL；ETHYL LINALOOL；FLOROSA；FLOROSA HC；GERANIOL；ゼラニウム油、エッセンス、エキス、代替物または代用物、例えばGERANIUM 230/3 MOD；GERANIUM ABQ5629；GERANIUM BOURBON DQ (AC) XN 41563TT；GERANODYLE；GERANYL ACETATE；GERANYL BUTYRATE；HEDIONE；HEDIONE HC；HEXENYL-3-CIS SALICYLATE；HEXYL CINNAMIC ALDEHYDE；HEXYL CINNAMIC ALDEHYDE DQ AC XI 41505TT；HEXYL SALICYLATE；HYDROXYCITRONELLAL；ISOBUTYL PHENYL ACETATE；ISOBUTYL SALICYLATE；JASMATONE；ジャスミン油、エッセンス、エキス、代替物または代用物、例えばJASMIN ABSOLUTE DQ (AC) 41568TT；JASMIN ARGENT 2；JASMONE CIS；JASMONYL；JASMOPYRANE FORTE；LILIALおよびリリアール代用物；LINALOOL；MEFROSOL；METHYL ANTHRANILATE；METHYL ANTHRANILATE EXTRA；METHYL BENZOATE；METHYL PHENYL ACETATE；ネロリ油、エッセンス、エキス、代替物または代用物、例えばNEROLI ESSENTIAL BASE AB 7632；NEROLI PHASE ESS；NEROLINE CRYSTALS；NEROLIONE；オレンジ油、エッセンス、エキス、代替物または代用物、例えばORANGE FLOWER TEC AB 2169E；ORANGER CRYSTALS；ORANGER FLEUR CREME 1103/20；PELARGOL；PEONILE；PETALIA；PHENYL ETHYL ACETATE；PHENYL ETHYL ALCOHOL；PHENYL ETHYL ISOVALERATE；PHENYL ETHYL SALICYLATE CRYSTALS；ROSACETOL；ROSALVA；バラ油、エッセンス、エキス、代替物または代用物、例えばROSE BASE ABF0339A - K182572；ROSE TW 62/10/20；SUPER MUGUET；TERPINEOL PURE；TETRAHYDRO LINALOOL；VERDANTIOL；YARA YARA；イランイラン油、エッセンス、エキス、代替物または代用物、例えばYLANG AB 0388A；YLANG ECO ESSENCE；
【００２０】
Ｂ８）香料組成物中で使用される香水成分を基にして約０．０１重量％〜約２２重量％、より特定的には約０．０１重量％〜約２１．０８重量％の、以下からなる群から選択される少なくとも１種のフルーツ調の成分：ACETATE C 6 HEXYLIC；AGRUMEX；ALLYL AMYL GLYCOLATE；ALLYL CAPROATE；ALLYL CYCLOHEXYL PROPIONATE；ALLYL OENANTHATE；AMYL BUTYRATE；APHERMATE；リンゴ油、エッセンス、エキス、代替物または代用物、例えばAPPLE BASE ABF1016 - K108004；バナナ油、エッセンス、エキス、代替物または代用物、例えばBANANA BASE ABF0961A - K108784；BENZYL BUTYRATE；BENZYL ISOBUTYRATE；BENZYL PROPIONATE；BUTYL ACETATE；BUTYRIC ACID；カシス油、エッセンス、エキス、代替物または代用物、例えばCASSIS BASE 345-F CS/4/20；CASSIS BASE 345B RECO TEC AB 8408D；COGNAC WHITE OIL EXTRA DQ (AC) 41547TT；CYCLOGALBANATE；DAMASCENONE；DAMASCONE ALPHA；DAMASCONE BETA；DAMASCONE DELTA；DECALACTONE DELTA；DECALACTONE GAMMA；デューフルーツ油、エッセンス、エキス、代替物または代用物、例えばDEWFRUIT /2；DEWFRUIT TEC AB 2927R LILIAL FREE；DIETHYL MALONATE；DIMETHYL BENZYL CARBINYL ACETATE；DIMETHYL BENZYL CARBINYL BUTYRATE；DODECALACTONE DELTA；DODECALACTONE GAMMA；ETHYL ACETOACETATE；ETHYL BUTYRATE；ETHYL CAPROATE；ETHYL CAPRYLATE；ETHYL ISOAMYL KETONE；ETHYL ISOBUTYRATE；ETHYL METHYL-2-BUTYRATE；ETHYL OENANTHATE；ETHYL PELARGONATE；ETHYL PROPIONATE；ETHYL SAFRANATE；FLOROCYCLENE；FRAISTONE；FRUCTONE；FRUITATE；GARDOCYCLENE；GIVESCONE；グアバ油、エッセンス、エキス、代替物または代用物、例えばGUAVE DUPLICATION /2；HEXENYL-3-CIS BUTYRATE；HEXENYL-3-CIS ISOBUTYRATE；HEXYL BUTYRATE；HEXYL ISOBUTYRATE；ISOAMYL ACETATE EXTRA；ISOAMYL BUTYRATE FR；JASMACYCLENE；MANZANATE；メロン油、エッセンス、エキス、代替物または代用物、例えばMELON HONEYDEW/2；METHOXY PHENYL BUTANONE；METHYL HEPTENONE PURE；METHYL HEXYL KETONE；METHYL-2-PENTENOIC ACID；2-NECTARYL；OCTALACTONE GAMMA；PEACH PURE；PHENOXY ETHYL ISOBUTYRATE；PHENYL ETHYL ISOBUTYRATE；PRUNOLIDE；RASPBERRY KETONE (N112)；STRAWBERRY PURE；
【００２１】
Ｂ９）香料組成物中で使用される香水成分を基にして約０．００１重量％〜約０．０１重量％、より特定的には約０．００１重量％〜約０．００２重量％の、以下からなる群から選択される少なくとも１種のキノコ調の成分：AMYL VINYL CARBINOL；OCIMENE
【００２２】
Ｂ１０）香料組成物中で使用される香水成分を基にして約０．０１重量％〜約１重量％、より特定的には約０．０１重量％〜約０．８６重量％の、以下からなる群から選択される少なくとも１種のグルマン調の成分：ACETOIN；アセチルピラジン、例えばACETYL PYRAZINE 1%/TEC；BENZALDEHYDE；BUTYL BUTYRO LACTATE；チョコレート油、エッセンス、エキス、代替物または代用物、例えばCHOCOLAT NOIR 1130 TEC/3；CORYLONE DRIED；CYCLOTENE；エチルマルトール、例えばETHYL MALTOL；ETHYL MALTOL 1%/BA；ホモフロノール、例えばHOMOFURONOL 20%/TEC；ヒドロキシエチルメチルチアゾール、例えばHYDROXY ETHYL METHYL THIAZOL 10%/TEC；ISOBUTAVAN；MALTYL ISOBUTYRATE；
【００２３】
Ｂ１１）香料組成物中で使用される香水成分を基にして約０．０１重量％〜約５重量％、より特定的には０．０４１重量％〜約４．２８重量％の、以下からなる群から選択される少なくとも１種のグリーン調の成分：ACETAL E；ALCOHOL C 6 HEXYLIC；ALDEHYDE C 6 HEXYLIC FOOD GRADE；BUTYL QUINOLINE SECONDARY；CYCLAL C；DIPHENYL OXIDE；ELINTAAL；ETHYL DECADIENOATE；エチルジメチルピラジン、例えばPYRAZINE 1%/TEC；ガルバノン、例えばGALBANONE 10；GALBANONE PURE；GARDENOL；ヘキセナール−２−トランス、例えばHEXENAL-2-TRANS 10%/TEC；HEXENOL-2-TRANS；HEXENOL-3-CIS；HEXENYL-3-CIS ACETATE；HEXENYL-3-CIS BENZOATE；HEXENYL-3-CIS PROPIONATE；ISOCYCLOCITRAL；イソヘキシルメトキシピラジン、例えばISOHEXYLMETHOXY PYRAZINE 1%/TEC；LIFFAROME；LIGANTRAAL；MACEAL；METHYL OCTYNE CARBONATE；NEOFOLIONE；ノナジエナール、例えばNONADIENAL；NONADIENAL 1%/TEC；NONADIENOL-2,6；ノネナール−６−シス、例えばNONENAL-6-CIS 10%/TEC；NONENOL-6-CIS；プチグレン油、エッセンス、エキス、代替物または代用物、例えばPETITGRAIN ECO ESSENCE；PETITGRAIN OIL PARAGUAY；フェノキシアセトアルデヒド、例えばPHENOXY ACETALDEHYDE 50；フェニルアセトアルデヒド、例えばPHENYL ACETALDEHYDE 50%/PHENYL ETHYL ALC；PYRALONE；RESEDAL；ROSE OXIDE；ROSYRANE SUPER；STEMONE；TRICYCLAL；TRIFERNAL；UNDECATRIENE；UNDECAVERTOL；バイオレットニトリル、例えばVIOLET NITRILE 0.1%/TEC；VIOLET NITRILE 10%/TEC；VIRIDINE；
【００２４】
Ｂ１２）香料組成物中で使用される香水成分を基にして約０．０１重量％〜約０．５重量％、より特定的には０．０１重量％〜約０．１重量％の、以下からなる群から選択される少なくとも１種のハーブ調の成分：バジル油、エッセンス、エキス、代替物または代用物、例えばBASIL OIL EGYPT ORPUR；カモミール油、エッセンス、エキス、代替物または代用物、例えばCAMOMILE ENGLISH DQ (AC) XN 41528TT；CITRONELLAL；クラリセージ油、エッセンス、エキス、代替物または代用物、例えばCLARY SAGE OIL COSMOS；CLARY SAGE OIL FRANCE ORPUR；CYPRISATE；ユーカリ油、エキス、エッセンス、代替物または代用物、例えばEUCALYPTUS CITRIODORA OIL BRAZIL；HERBOXANE；PINOACETALDEHYDE；TANAISONE；タイム油、エッセンス、エキス、代替物または代用物、例えばTHYME OIL RED 40-45%；THYME WHITE DQ (AC) XN 41491TT；THYMOL CRYSTALS；
【００２５】
Ｂ１３）香料組成物中で使用される香水成分を基にして約０．０１重量％〜約５重量％、より特定的には約０．０１重量％〜約４．３重量％の、以下からなる群から選択される少なくとも１種のマリン／ウォータリー調の成分：ADOXAL；アズロン、例えばAZURONE 10%/TEC；CALONE 1951；FENNALDEHYDE；FLORALOZONE；FLORHYDRAL；MELONAL；SCENTENAL；TROPIONAL；VERNALDEHYDE；
【００２６】
Ｂ１４）香料組成物中で使用される香水成分を基にして約０．０１重量％〜約０．５重量％、より特定的には約０．０１重量％〜約０．４７重量％の、以下からなる群から選択される少なくとも１種のミント調の成分：ブチュ葉油、エッセンス、エキス、代替物または代用物、例えばBUCHU LEAF OIL SOUTH AFRICA COSMOS；CARVONE LAEVO；ハッカ油、エッセンス、エキス、代替物または代用物、例えばCORNMINT OIL DEMENTHOLIZED；FRESKOMENTHE；ISOMENTHONE DL；MENTHOL LAEVO；MENTHOL-DL；MENTHONE；MENTHYL ACETATE；ペパーミント油、エッセンス、エキス、代替物または代用物、例えばPEPPERMINT AM FAR WEST DQ AC 41624TT；PEPPERMINT AM MID WEST MIW DQ AC 41253TT；PEPPERMINT AM WILL REDIST DQ AC 24150TT；PEPPERMINT AM WILLAM NAT DQ AC 37968TT；PEPPERMINT AMER 9303 DQ (AC) 37934TT；PEPPERMINT CHINESE T'LES(EXCN)DQ 24329TT；PEPPERMINT CHINESE TR (CN) DQ 24109TT；PEPPERMINT CN TERPLESS FDC DQ AC 37921TT；PEPPERMINT HMF DQ 24817TT；PEPPERMINT INDIAN TPC-1 DQ AC 24049TT；PEPPERMINT OIL BLEND；PEPPERMINT PIP IND REC.FDC DQ AC 24040TT；スペアミント油、エッセンス、エキス、代替物または代用物、例えばSPEARMINT AM FW NAT DQ AC XN 41610TT；SPEARMINT OIL USA TYPE；
【００２７】
Ｂ１５）香料組成物中で使用される香水成分を基にして約０．０１重量％〜約５０重量％、より特定的には約０．０１重量％〜約４４．４３重量％の、以下からなる群から選択される少なくとも１種のムスク調の成分：AMBRETTOLIDE；CASHMERAN；COSMONE；シクロペンタデカノリド、例えばCYCLO PENTA DECANOLIDE DQ 1% PG；ETHYLENE BRASSYLATE；GALAXOLIDE；GALAXOLIDE S；HABANOLIDE；MUSCENONE；MUSK C14；SERENOLIDE；SILVANONE SUPRA；SYLKOLIDE；VELVIONE；
【００２８】
Ｂ１６）香料組成物中で使用される香水成分を基にして約０．０１重量％〜約１０重量％の、以下からなる群から選択される少なくとも１種のオリス調の成分：CETONE V；DIHYDRO IONONE BETA；IONONE BETA；IRISONE ALPHA；IRISONE PURE；ISORALDEINE 70；ISORALDEINE 95；ORIVONE；
【００２９】
Ｂ１７）香料組成物中で使用される香水成分を基にして約０．０１重量％〜約１重量％、より特定的には約０．０１重量％〜約０．４５重量％の、以下からなる群から選択される少なくとも１種のスパイス調の成分：カルダモン油、エッセンス、エキス、代替物または代用物、例えばCARDAMOM SEED OIL ORPUR；CARDAMOM SUBSTITUTE 1527 F；CARDAMOME SUBSTITUT 1527 F/2；CARYOPHYLLENE；CINNAMIC ALCOHOL CINNAMIC ALCOHOL；CINNAMIC ALDEHYDE；シナモンリーフ油、エッセンス、エキス、代替物または代用物、例えばCINNAMON LEAF OIL WASHED ORPUR；クローブ油、エッセンス、エキス、代替物または代用物、例えばCLOVE BUD OIL；CLOVE LEAF OIL COLORLESS；CLOVE LEAF OIL RECTIFIED RB COSMOS；コリアンダー油、エッセンス、エキス、代替物または代用物、例えばCORIANDER SEEDS OIL ORPUR COSMOS；エレミ油、エッセンス、エキス、代替物または代用物、例えばELEMI RESINOID 50%/BB；ETHYL CINNAMATE；EUGENOL；ジンジャー油、エッセンス、エキス、代替物または代用物、例えばGINGER OIL INDIA ORPUR；GINGER ROOT FRESH CUT；ISOEUGENOL；IMETHYL CINNAMATE；METHYL ISOEUGENOL；MYSTIKAL；ナツメグ油、エッセンス、エキス、代替物または代用物、例えばNUTMEG OIL INDONESIA；胡椒油、エッセンス、エキス、代替物または代用物、例えばPEPPER BLACK OIL MADAGASCAR ORPUR；SZECHUAN PEPPER (ASH BARK) DQ AF 24070TT；
【００３０】
Ｂ１８）香料組成物中で使用される香水成分を基にして約０．０１重量％〜約０．５重量％、より特定的には約０．０１重量％〜約０．２１重量％の、以下からなる群から選択される少なくとも１種の硫黄調の成分：アンジェルク（Anjeruk）、例えばANJERUK 0.01%/TEC；コールカシス、例えばCORPS CASSIS 0.1%/TEC；CORPS CASSIS 10%/TEC；コールパンプルムース、例えばCORPS PAMPLEMOUSSE PURE 1%/TEC；CORPS PAMPLEMOUSSE PURE 10%/TEC；ジメチルスルフィド、例えばDIMETHYL SULFIDE；DIMETHYL SULFIDE 1%/TEC；GARDAMIDE；ラビエノキシム、例えばLABIENOXIME 1%/IPM-TEC；メルカプタン、例えばMERCAPTO-8 MENTHENE-1 PARA 0.1% IN TEC；METHYL ISOPROPYL THIAZOLE；ナルドゼステ（Nardozeste）油、エッセンス、エキス、代替物または代用物、例えばNARDOZESTE ABQ5031；NEOCASPIRENE EXTRA；NONIVAMIDE 1% TRIACETIN；オキサン、例えばOXANE 50%/TEC；PARADISAMIDE；パラメントン、例えばPARAMENTHONE 1%/TEC；
【００３１】
Ｂ１９）香料組成物中で使用される香水成分を基にして約０．０１重量％〜約１０重量％、より特定的には約０．２重量％〜約７．８３重量％の、以下からなる群から選択される少なくとも１種のスウィート／パウダリー調の成分：ACETOPHENONE；AUBEPINE PARA CRESOL；BICYCLO NONALACTONE；COUMARIN；エチルライトン、例えばETHYL LAITONE 1%/TEC；ETHYL VANILLIN；HELIOTROPIN；バニラ油、エッセンス、エキス、代替物または代用物、例えばVANILLA ABSOLUTE 20 FOLD DQ AC 41493TT；VANILLA S/ABS DEC 50% PG AAF0517 L228655；VANILLA SUP ABS DEC DQ P17 SB AC 41561TT；VANILLAL DQ (AF) 41319TT；VANILLIN；VANILLIN DQ (AF) 41320TT；バノリア（Vanolia）油、エッセンス、エキス、代替物または代用物、例えばVANOLIA BASE ABF0303B；VERATRIC ALDEHYDE；
【００３２】
Ｂ２０）香料組成物中で使用される香水成分を基にして約０．０１重量％〜約１５重量％、より特定的には約０．０１重量％〜約１０．３７重量％の、以下からなる群から選択される少なくとも１種のウッディ／パイン調の成分：BORNEOL；BORNYL ACETATE LIQUID；BUTYL CYCLOHEXANOL PARA；BUTYL CYCLOHEXYL ACETATE PARA；シダーウッド油、エッセンス、エキス、代替物または代用物、例えばCEDARWOOD OIL USA VIRGINIA TYPE ORPUR；CONIFERAN；EBANOL；EVERNYL；FENCHYL ACETATE；ガイアックウッド油、エッセンス、エキス、代替物または代用物、例えばGUAIACWOOD OIL PARAGUAY；ISONONANYL ACETATE；JAVANOL；KOHINOOL；MENTHANYL ACETATE；METHYL CEDRYL KETONE；NOPYL ACETATE；OSYROL；OXYOCTALINE FORMATE；パチュリー油、エッセンス、エキス、代替物または代用物、例えばPATCHOULI OIL COLORLESS INDONESIA；PATCHOULI OIL IRONFREE INDONESIA COSMOS；PINENE ALPHA；PINENE BETA；RADJANOL；RADJANOL SUPER；テレピン油、エッセンス、エキス、代替物または代用物、例えばTURPENTINE OIL RECTIFIED；VERTOFIX COEUR；ベチバー油、エッセンス、エキス、代替物または代用物、例えばVETIVER OIL HAITI ORPUR ORGANIC COSMOS；
【００３３】
および、任意に
Ｂ２１）香料組成物中で使用される香水成分を基にして約０．０１重量％〜約１０重量％の、以下からなる群から選択される少なくとも１種の成分：ALDEHYDE C12 （DODECANAL）；MENTHYL ACETATE；
を含む。
【００３４】
当業者たる香料製造者は、本明細書中上記で有用な香料成分を記述するのに慣用名が使用されている場合、これらは香料製造者によく使用されている名であることを理解するはずである。しかしながら、当業者たる香料製造者はまた、これらの成分が、他のありふれた同義語によって、ＣＡＳ登録番号によって、あるいはより正式な名称、例えばIUPAC名称などによって知られていてもよいということも理解するはずである。さらには、当業者たる香料製造者は、これらの他のありふれた同義語ならびにより正式な名称に精通しているか、あるいは少なくとも、香料製造者のパレットに含まれる香料成分についての慣用名、登録番号およびより正式な名称の網羅的なリストを含む標準的な参照研究、例えばThe Good Scent Companyのウェブサイトなどを、知っているはずである。
【００３５】
本発明の香料組成物は、全体が本明細書中上記で言及した香料成分で構成されていてもよい。これらの香料成分は、「機能性香料成分」とも呼ばれ得る。これに代えて、機能性香料成分が、香料組成物の一部分のみを形成していてもよい。
【００３６】
本発明の特定の態様において、香料成分は、香料組成物の０．１重量％〜１００重量％、より特定的には８．５重量％〜１００重量％、さらに特定的には３４重量％〜７１重量％に相当する。
【００３７】
本明細書中上記で言及した機能性香料成分に加えて、本発明の香料組成物は、他の香料成分を含有してもよい。他の適切な香料成分の網羅的なリストは、香料の文献、例えばS. Arctander著「Perfume & Flavor Chemicals」（Allured Publishing、１９９４年）、ならびにこの文献の以降の改訂版において見出すことができ、これらの全体が参照により本明細書に組み込まれる。
【００３８】
本発明の香料組成物は、香水成分ではない他の成分を含有してもよい。とりわけ、香料組成物において香り物質と併せて通常に使用される成分または賦形剤、例えば、キャリア材料、および当技術分野でよく使用される他の助剤、例えば、ジプロピレングリコール（ＤＰＧ）、ミリスチン酸イソプロピル（ＩＰＭ）、酢酸ベンジル（ＢＡ）、プロピレングリコール（ＰＧ）およびクエン酸トリエチル（ＴＥＣ）などの溶媒。
【００３９】
本発明の香料組成物は、遊離の油の形態で提供されてもよいし、封入されていてもよい。香料配合物を封入するための何種類かの封入媒体が当技術分野で知られており、それらは全て本発明における使用のために適切である。特定の封入媒体は、メラミンホルムアルデヒド樹脂などのアミノプラスト樹脂、ポリウレア、ポリアミド、ならびにアクリル酸、メタクリル酸およびそれらのエステルのコポリマーで形成されたマイクロカプセルを含む。
【００４０】
本発明の香料組成物は、全ての様式の消費者用製品に望ましい匂いの印象を付与するのに使用し得る。しかしながら、好ましくは、これらは、消費者によって就寝中または就寝に備えて使用される消費者用製品中、または消費者が就寝する際に彼らにごく近接する消費者用製品中に、組み込まれる。特に、本発明の香料組成物は、洗濯物ケア用途、ヒト対象の髪および皮膚を処置するためのパーソナルケア製品、口腔ケア製品、および空気ケア製品に用いられ得る。
【００４１】
したがって、本発明の別の側面において、本明細書中で定義されたとおりの香料組成物を含む消費者用製品が提供される。
【００４２】
本発明の特定の側面において、消費者用製品は、洗濯物ケア製品である。洗濯物ケア製品は、粉末および液体の洗剤および衣類柔軟剤、シミ除去剤および予洗処理剤、仕上げ剤および柔軟剤（標準および濃縮仕上げ剤、柔軟剤および乾燥機シートを含む)；洗濯助剤（シミ除去剤、アイロン助剤、ホワイトナーおよびカラーケア製品および他の補助的な衣類ケア製品を含む)；洗濯洗剤（洗濯機用液体洗剤、他の洗濯機用洗剤（粉末、カプセルおよび錠剤を含む）および手洗い用洗剤（粉末、フレークおよび固形物／バーを含む）；シートスプレー；衣服スプレー；洗濯芳香剤；乾燥機サシェ；匂い袋；乾燥機シート；洗濯石鹸；洗濯洗剤；傷みやすい衣類のための洗剤；アイロン掛けスプレー；糊剤；香りシート；ピローミスト；棚敷きシート；シダーのクローゼットスプレー；リネンウォーターおよび詰め替え品およびこれらの組み合わせを含む。
【００４３】
洗濯物ケア製品は、洗濯物洗浄活性成分を含有する。洗濯物洗浄活性成分は、洗濯物の洗浄プロセスにおいて能動的な役割を担う物質である。洗浄活性成分は、これらに限定されるものではないが、洗浄界面活性剤（アニオン性、非イオン性、カチオン性、両性イオン性および両性界面活性剤）、漂白剤、漂白活性化剤、漂白安定剤、漂白触媒、酵素、汚れ懸濁または分散ポリマー、キレート剤などの物質またはこれらの組み合わせを含み、用語はこれらの物質群に限られない。
【００４４】
洗濯物ケア製品は、汚れ落としポリマー、抗酸化剤、着色剤、防腐剤、蛍光増白剤、乳白剤、グアーガムおよびポリエチレングリコールなどの安定剤、防縮剤、防しわ剤、汚れ落とし剤、衣類に張りを与える剤（fabric crisping agents）、還元剤、シミ抜き剤、殺菌剤、防カビ剤、耐腐食剤、消泡剤、色相染料などの１つ以上を含有してもよい。
【００４５】
洗濯物ケア製品は、衣類柔軟剤活性成分を含有してもよい。非限定例は、シリコーン、脂肪酸、脂肪酸エステル、ポリグリセロールエステル、ポリエチレンワックス、ショ糖エステル、粘土、トリグリセリド、カチオン性糊剤およびカチオン性ポリマーを含む。
【００４６】
本発明の別の側面において、消費者用製品は、パーソナルケア製品である。パーソナルケア製品は、石鹸、シャワージェル、ボディークリーム、ボディー用化粧水、ボディーミスト、香水、化粧品、フローティングバスオイル、アフターシェーブ用品、クリーム、化粧水、スティック状消臭剤を含む消臭剤、電気髭剃り用プレシェーブローション、アフターシェーブローション、制汗剤、シャンプー、コンディショナーおよびリンスおよび関連する製品、中でもスキンケア製品を含むもの、アイメイク、ボディーシャンプー、皮膚保護用配合物、リップスティック、リップグロス、アフターバススプラッシュ、日焼け止めを含む日焼け前用および日焼け用製品を含む。事実上、髪または皮膚と接触し、かつ本発明による組成物の１種以上の有効量または有効濃度を含み得る、あらゆる化学製品が、本発明によるパーソナルケア製品とみなされ得る。
【００４７】
本発明の別の特定の側面において、消費者用製品は、口腔ケア製品である。口腔ケア製品は、練り歯磨き粉、デンタルクリーム、ジェルまたは歯磨き粉、歯関連の（odontic）、プラーク除去液を含めた洗口液、典型的には水／アルコール溶液、湿潤剤、甘味料、発泡剤、着色剤、および任意に酵素を含むもの；ブラッシング前または後のリンス配合物、チューイングガム、トローチおよびキャンディーを含む。練り歯磨き粉および歯磨きジェルは、典型的には、研磨材料、発泡剤、風味剤、湿潤剤、バインダー、増粘剤、甘味剤、ホワイトニング／漂白／シミ除去剤、水、および任意に酵素を含む。
【００４８】
本発明のまた別の特定の側面において、消費者用製品は、空気ケア製品である。空気ケア製品は、キャンドル、電気空気清浄デバイスなどの空気清浄デバイス、エアロゾルスプレー、ポンプ加圧式スプレー、香りキャンドル、膜透過デバイス、液体芯デバイス、油性ゲル香り物質、水性ゲルを含む。
【００４９】
空気ケア製品は、セ氏温度２５℃で０．０１ｍｍＨｇ未満の蒸気圧を有する１種以上の香り成分を含有してもよい。適切な香り成分は、S. Arctander著「Perfume and Flavor Chemicals： Volume 1」、Allured Publishing社１９６９年、またはその以降のあらゆる改訂版、ならびに、ＩＦＲＡ（International Fragrance Research Association）のデータベースおよびＲＩＦＭ（Research Institute of Fragrance Materials）のデータベースに記載されており、これらのそれぞれの全体が本明細書に参照により組み込まれる。
【００５０】
さらには、空気ケア製品は本明細書中上記で述べた香り成分の蒸発を助けるための１種以上の低蒸気圧溶媒またはキャリアを含有してもよい。
【００５１】
低蒸気圧溶媒は、本明細書中においては、セ氏温度２０℃で０．１ｍｍＨｇ未満の蒸気圧を有する有機溶媒であって、いわゆるＬＶＰＶＯＣ「低蒸気圧揮発性有機化合物」としてカリフォルニア州大気資源局（ＣＡＲＢ）によって使用のために認可されて含まれているものを定義する。低蒸気圧溶媒の例は、ブランド名Dowanol（登録商標）ＤＰＭＡとして入手可能であるジプロピレングリコールメチルエーテルアセタート（ＤＰＭＡ）、Dowanol ＴＰＭ（トリプロピレングリコールメチルエーテル）、Dowanol ＤＰＮＢ（プロピレングリコールｎ−ブチルエーテル、Dowanol ＤＰＮＰ（プロピレングリコールｎ−プロピルエーテル)、および他の適切なDow Chemical Dow P-シリーズのグリコールエーテルを含む。
【００５２】
低蒸気圧溶媒は、空気ケア製品中で使用される香料組成物の総重量を基にして１０％以上、より特定的には２０％以上、さらに特定的には３０％以上の量で存在してもよい。低蒸気圧溶媒の上限の範囲は、空気ケア製品中で使用される組成物の総重量を基にして６０％まで、より特定的には７０％まで、さらに特定的には８０％までであり得る。
【００５３】
該低蒸気圧溶媒に加えて、またはこれに代えて、本発明の香料組成物は、上述したＣＡＲＢ  ＶＯＣと似た蒸発特性を有する１種以上の香料成分を含有してもよい。適切な香料成分は、ＥＰ２３２８６２５（およびそれと同等の物）に記載されており、これらの全体が参照により、いわゆる「ＦＰＣ」成分として、本明細書に組み込まれる。ＦＰＣ成分は、これらに限定されるものではないが、イソノニルアセタート、ジヒドロミルセノール、リナロール、ゲラニオール、ｄ−リモネンおよび酢酸ベンジルを含む。
【００５４】
香料組成物は、加えて、１種以上の揮発性芳香性化学物質からなるキャリア材料を含んでもよい。揮発性芳香性化学物質は、高い揮発性、例えばセ氏温度２５℃での蒸気圧０．１ｍｍＨｇ以上、より特定的には少なくとも約０．２ｍｍＨｇ、または少なくとも約０．５ｍｍＨｇ、または少なくとも１ｍｍＨｇを有する香料成分の群として定義される。
【００５５】
例示的な揮発性芳香性化学物質は、ヘキシルアセタート、３，３，５−トリメチルヘキシルアセタート、ボルニルホルマート、３−ヘキセニルブチラート、フェニルエチルアセタール、ブチルヘキサノアート、イソノナノール、アセトンアルコール、イソプレニルアセタート、イソブチル２−ペンタノアート、アミルプロピオナート、ハーバルジオキサン（herbal dioxane）、フルフリルホルマート、メチルアセチルアセトン、およびブチルアセトアセタートを含む。
【００５６】
他の揮発性芳香性化学物質は、参照により本明細書に組み込まれるＵＳ８，６０３，９６３の表１に記載された化合物のあらゆるものから選択される。
【００５７】
上述した材料に加えて、本発明の組成物は、以下からなる群から選択される１種以上の活性薬剤を含有してもよい：衣類の仕上げまたは柔軟化、衣類のリフレッシュ、空気清浄または消臭、悪臭除去を提供する剤。活性薬剤はまた、界面活性剤、乳化剤、可溶化剤、ポリマー、悪臭中和剤、緩衝剤、亜鉛イオンなどをも含み得る。
【００５８】
本発明による組成物との使用に適切な空気ケアデバイスは、電気空気清浄デバイスを含み、これは電気または電池エネルギー源を含むデバイスまたはシステムを指す。用語「電気空気清浄デバイス」は、加熱液体芯システム、圧電スプレーシステム、電気スプレーデバイスおよびベンチュリデバイス、ならびに、太陽光または他の代わりのエネルギー形態を動力源とするデバイスを含む。
【００５９】
あらゆる適切なサイズ、形状、形態または構成のデバイスを使用することができる。適切なデバイスは、以下を含むがこれらに限定されない、あらゆる適切な材料から作ることができる：天然材料、人工材料、繊維質材料、非繊維質材料、多孔質材料、非多孔質材料、およびこれらの組み合わせ。
【００６０】
ある態様において、典型的なデバイスは、芯材、および液体組成物を供給するための放出表面、液体組成物容器の組み合わせを利用する。
【００６１】
デバイス（「ウィッキングデバイス」など）は、香り、消臭剤、消毒剤または殺虫剤活性薬剤など、揮発性液体を空気中へと供給することで知られる。典型的な空気ケアデバイスは、芯材、および、液体流体容器から揮発性液体を供給するための放出表面の組み合わせを利用する。デバイスは、デバイスの寿命にわたって一貫した嗅覚プロファイルを維持しつつ、液体組成物を定常的かつ制御された速度で周囲の空気中へと供給する様式で機能すべきである。
【００６２】
本発明の一態様において、デバイスは、加熱液体芯送達システム、圧電スプレーシステム、電気スプレーデバイスまたはベンチュリデバイスを含む電気または電池作動式のエネルギー源を含む。電気液体空気清浄デバイスの市販の例は、これらに限定されるものではないが、SC Johnson & Sonsによって販売されているGlade（登録商標）PlugIns（登録商標）Scented Oils；Reckitt Benckiserによって販売されているAir Wick Scented OilsおよびAir Wick X-Press（登録商標）Scented Oils；Proctor & Gamble Co.によって販売されているFebreze Noticeables、Yankee Candle Co.によって販売されているElectric Home Air Fresheners；およびHenkel AGによって販売されているRenuzit Scented Oilsを含む。
【００６３】
本発明による香料組成物には、本明細書中上記で言及した全ての様式の香り供給デバイスから供給され得る香料としての実用性が見出される。
【００６４】
本発明による香料組成物は、制御された方式で蒸発する。とりわけ、単位時間当たりの香料物質の重量の減少量として測定された蒸発速度は、所与の時間、例えば３０、４０または６０日間にわたって０．２〜０．６ｇ／日の範囲にあり、これは所与の時間にわたって比較的一定である。蒸発速度は、実質的に一定であり、例えば、単位時間当たりの香料物質の重量の減少量は、所与の時間にわたって、±５％未満、または±１０％未満または±２０％未満変動する。
【００６５】
さらには、蒸発速度は、当該速度が０．２ｇ／日よりも低いレベルまで減衰するよりも前に、本発明による液体組成物が入った容器が空になるかまたは実質的に空になるようにされる。
【００６６】
香料組成物の消費者用製品中への組み込みのレベルは、広い限度内で異なり得、当該特定の用途および消費者用製品にある程度依存する。例えば、液体での電気空気ケアデバイスにおいて、蒸発する組成物の全体を香料組成物から構成することがよくある。
【００６７】
香料組成物の組み込みの範囲は、消費者用製品の総重量を基にして約１重量％〜約１００重量％、より特定的には約１重量％〜６０重量％、さらに特定的には約０．０１重量％〜２５重量％である。
【００６８】
本発明の特定の態様において、空気清浄組成物中における使用のための香料組成物は、空気清浄組成物の重量を基にして約０．０１重量％〜２５重量％の機能性香料成分を含む。
【００６９】
本発明の別の特定の態様において、口腔ケア組成物中における使用のための香料組成物は、口腔ケア組成物の重量を基にして約０．０１重量％〜約６０重量％の機能性香料成分を含む。
【００７０】
また別の態様において、衣類ケア組成物中における使用のための香料組成物は、衣類ケア組成物の重量を基にして約０．０１重量％〜約２０重量％の機能性香料成分を含む。
【００７１】
また別の態様において、パーソナルケア組成物中における使用のための香料組成物は、パーソナルケア組成物の重量を基にして約０．０１重量％〜約２０重量％の機能性香料成分を含む。
【００７２】
本発明の特定の側面において、消費者用製品は、ホームケア製品である。ホームケア製品は、特に、工業の、家庭のまたは共用の硬表面ならびに布製品表面の、清掃、洗い流し、ケアまたは処理のために使用することができる；これらは、それを施した表面に撥水性、汚れ落とし、耐汚染性、防曇性、表面修復、防しわ性、光沢、潤滑性などの利益を与えること、および／または当該組成物中に含まれる活性材料の残存性、影響および／または有効性を改善することを標的とする。
【００７３】
よって、本発明によるホームケア組成物は以下を含む：表面清掃組成物（例えば、ガラス、床、カウンター、浴槽、便器、シンク、電気器具、及び家具を清掃する組成物）；消毒剤（例えば、スプレーおよび固形の空気消毒剤（ゲルを含む）；およびスプレーの、固形の、液体のおよびペースト状の表面消毒剤）；ワックスおよび他の表面保護および／または艶出し組成物；およびラグシャンプー。ホームケア組成物は、追加の構成成分、例えば酵素、漂白剤、ホワイトナー、カラーケア剤、布地柔軟剤、泡立ち抑制剤、分散剤、移染防止剤、キレート化剤、エアロゾル噴射剤、ゲル化剤、増粘剤およびこれらの組み合わせなどを含むこともできる。
【００７４】
また別の態様において、ホームケア組成物中における使用のための香料組成物は、ホームケア組成物の重量を基にして約０．０１重量％〜約３４重量％の機能性香料成分を含む。
【００７５】
本発明の香料組成物は、睡眠の質に対処する香料の規則に従い、ならびに、特定の消費者用製品用途に適切な高性能で望ましい快楽のアコードを提供するためにデザインされている。特に、香料組成物は、機能性香料成分の組み合わせから、かつ、これらの成分の組み合わせのＳＣ値に基づいて選択される。
【００７６】
したがって、本発明の別の側面においては、睡眠の質に対処するための香料組成物を調製する方法であって、機能性香料成分を組み合わせて、当該組み合わせが１．３５よりも大きいSandman Classifier値を有するようにするステップを含む、前記方法が提供される。
【００７７】
本発明のまた別の側面においては、消費者用製品を調製する方法であって、消費者用製品基材中に、本明細書中で定義されたとおりの、１．３５より大きな既知のSandman Classifier値を有する香料組成物を組み込むステップを含む、前記方法が提供される。
【００７８】
本出願人は、香料組成物と当該組成物を吸入したヒト対象の睡眠の質との関係性について大規模な研究を行った。研究には、消費者試験、ならびに脳波検査（ＥＥＧ）を使用した脳電気活動の測定および得られたデータの統計解析の、両方を採用した。このようにして、本出願人は、香料製造者にとって、客観的な様式で、睡眠の質に良い影響を与える高性能で精巧な香料組成物をデザインすることが可能となる新規なパラメーターを解明した。
【００７９】
本出願人は、これより、本発明を、例ならびにＥＥＧおよび消費者試験方法の詳細な説明を参照してさらに解説する。
【００８０】
Sandman Classifier（ＳＣ）値は、標準の１０−２０電極法を使用して脳波検査（ＥＥＧ）試験によって決定した。
【００８１】
１０−２０法は、下層の大脳皮質の領域との関係で頭皮電極の位置を記述し適用するための、よく知られている標準化された方法である。本明細書中で詳細な説明を提供する必要もなく、本出願人は、単にJasper HH. The ten-twenty electrode system of the International Federation. Electroencephalogr Clin Neurophysiol 1958;10:371-375.への注目を喚起し、これは参照により本明細書に組み込まれる。
【００８２】
２５名の女性の参加者が、この実験に参加した（年齢範囲３２〜５２歳）。全ての最下者は、試験に参加するためのインフォームドコンセントを提出した。
【００８３】
ソルボロッド（sorborod）中に０．１ｇの香油をピペッティングして２４時間放置することにより、香料組成物を調製した。１つの無臭の対照（空のソルボロッド）に加えて、５種の香料組成物を、試験における比較のために含めた。各組成物を、試験中に１回提示した。香料組成物を提示する順序は、参加者の間で釣り合いを取るようにした。
【００８４】
試験は、２つの要素からなり、これらは試験セッションを通じて複数回繰り返した：第１の要素は、覚醒／活動タスクからなる一方、第２の要素は、リラックスタスクからなるものとした。覚醒／活動タスクでは、参加者は、短い数学タスクを２分間行うことで、確実に覚醒状態にあるようにした。この２分間の数学タスクに続いて、参加者は次にリラックスタスクを行った。リラックスタスクの間中、参加者がアイマスクを着用して余計な視覚的刺激（例えば、ソルボロッドの提示による）を排除しつつ居心地よく座っている間に、ＥＥＧを記録した。参加者は、実験の始めに、このパートでは目を閉じて、起きていながらもリラックスした状態で座り、不必要な動き／筋肉の緊張を避け、平常通りの呼吸を続けることが求められる旨指示された。参加者が目を閉じた直後に、参加者に香料組成物を、鼻の下およそ５〜６ｃｍに保持したソルボロッドを使用して提示した。
【００８５】
香料組成物は、鼻の下で５分間保持した。５分間が終わると、参加者は次に目を開けて、彼らの気分および香りについての評点を含むアンケートに記入した。これに続いて、参加者は次に、覚醒状態での数学タスクを再度行い、次の香料組成物が提示される前にリラックスタスクがこれに続く。この試験を、全ての香料組成物について繰り返した。各香料組成物／ソルボロッド（４つの組成物および１つの無臭のブランク）を、タスクの間に２回提示したが、これは、参加者が合計で１０回の数学タスクおよび１０回のリラックスタスクを行ったことを意味する（図１０）。
【００８６】
各実験において、ＥＥＧは、NuAmp amplifier（Neuroscan、El Paso、TX）を使用して、10-20 International system（AEEGS、1991）に従い配置した、弾性キャップ（Easy Cap）に載せたＡｇ／ＡｇＣｌ電極を使用して、１８の頭皮部位から記録した。モンタージュは、４つの正中線部位（ＦＺ、ＦＣＺ、ＣＺ、ＰＺ）および各脳半球の７部位（ＦＰ１／ＦＰ２、Ｆ３／Ｆ４、ＦＣ３／ＦＣ４、Ｃ３／Ｃ４、ＣＰ３／ＣＰ４、Ｐ３／Ｐ４、Ｏ１／Ｏ２）を含んでいた。追加の電極を、グランドおよびリ参照部位として使用した。右の乳様突起（耳の後ろ）を、活性参照として使用した。データを、次にオフラインで左右の乳様突起の算術平均に対して再参照した。腹部呼吸バンド内に埋め込まれた圧電センサを使用して、呼吸信号を同時に記録した。ＥＥＧ信号は、１０００Ｈｚのサンプリングレートでデジタル化した。データは、３００Ｈｚのローパスフィルタを用い、ハイパスフィルタ（ＤＣ）なしで記録した。実験の間中、匂い刺激の提示をマークするため、ＥＥＧ記録コンピュータにデジタルコードを送った。
【００８７】
各実験について、ＥＥＧデータを１〜５０Ｈｚの範囲の帯域通過フィルタを用いてオフラインでフィルタリングした。デジタルコードは、匂い刺激を提示した時間（呼息中に）をマークし、コードのタイミングを次に、呼吸バンドのトレースからのマーカーを使用して、続く吸息の開始と揃えた。これによって、全ての匂い刺激を試行間で時間で揃え、吸息の開始と揃えたことを確実にした。ＥＥＧの記録は、匂い提示の時間枠内で行った。過剰なノイズまたはドリフト（＋／−５０μＶ）を含む測定のインターバルは取り除いた。加えて、全ての試行を、より小さなアーチファクトおよびドリフトについて視覚的に点検し、必要によっては破棄した。
【００８８】
興味の対象とする時間枠（香り／ソルボロッドの提示の各５分間）からのデータを、当技術分野で一般的に知られている方法により、高速フーリエ変換（ＦＴＴ）解析を使用した周波数ドメインによって解析した。ＦＦＴ解析は、ＥＥＧ信号を、Ｘ軸が周波数（Ｈｚ）を反映しＹ軸がパワーを反映する（パワーは、その時間枠内の各周波数の振幅、ならびにそれらの波の相対量、すなわち、各固有の周波数の波がどれくらい頻繁に枠内に存在していたか、の両方を反映する）、パワースペクトルに変換する。この実験の主な興味の対象とする周波数帯域は、アルファ帯域（８〜１２Ｈｚ）であり、それは、この帯域が以前にリラクゼーションと関連付けられてきたからである。
【００８９】
周波数解析を、各参加者について、各香りの条件について別々に行った（２回の反復の間で平均した）。参加者の群全体にわたるデータを次に平均して、各香りの条件についての平均の周波数スペクトルを作成した。周波数スペクトルの応答を、香りありと香りなしの条件間で比較し、また個別の香りの条件の間でも比較した。次に、条件間の有意な差異を試験するために、統計解析（ＡＮＯＶＡ）を、興味の対象とする固有の周波数帯域（アルファ帯域）に対して行った。異なる脳領域間での解析を、前部と後部との間でより詳細な効果を検討するために行った。
【００９０】
ＥＥＧデータが実際の睡眠体験と相関しているか否かを決定するため、ＥＥＧ試験データを、睡眠の研究の結果に対して検証した。
【００９１】
年齢範囲２５〜６０歳の７０名の女性に、最初に、事前準備したアンケートを使用して、彼らの参加適性および参加資格について事前スクリーニングした。２０名の参加者（３４〜５６歳）を、睡眠のパフォーマンス、生活様式、夜の日課、健康全般および香りアレルギーを含む合致した基準に基づいて選択した。全ての参加者は、参加する前にインフォームドコンセントを提出した。参加者は、彼らの睡眠の質が平均または平均よりも低い（すなわち、良好な睡眠の者でも極めて悪い睡眠の者でもない）ことに基づいて選択された。参加者に、彼らの日常の睡眠習慣と夜の日課を研究の間を通して維持するように、過度のアルコールを避けるように依頼した。
【００９２】
異なる試験香料組成物を、本研究における使用のために選択した。周囲の組成物の強度は、平均１０．５ｍ２の標準的な寝室のサイズの部屋および夜間の使用に適切とするための大規模なパイロットテストを基にして選択された。室内への周囲の香料の提示は、７本のラタン棒を保持するリードディフューザー（Reed Diffuser）デバイス（２０％の香り成分、５０ｇの容量）によって提供した。志願者のスクリーニングの際に、寝室のサイズ、および志願者が就寝の際に寝室のドアや窓を開けているか閉じているかを考慮した。香りなしのディフューザー（対照）には、ＤＰＭおよびＤＰＧの混合物を使用した。参加者には、リードディフューザーをベッドの近く（例えば、ドレッサー／たんすの上）に置くように、ただしベッドサイドのテーブルには（万一の事故に備えて）置かないように指示した。
【００９３】
研究は、各参加者について２週間続けた。各週に、参加者に、香り試験の香料組成物または対照の液体のいずれかが入った芳香リードディフューザーを提供した。参加者には、彼らが、強度が異なり得る２種類の香りのサンプルを試すと告げたが、すなわち、彼らはディフューザーの一方に香り物質が入っていないことをはっきりと告げられていない。１週間の間、参加者は、睡眠の質の基準値を測定するために、対照ディフューザーの存在下で就寝した（対照週）。他の週に、参加者は、香料組成物の存在下で就寝した。第１週および第２週への香料ありおよび香料なしの条件の割り当ては、参加者の間で釣り合いを取るようにした。
【００９４】
参加者には、リードディフューザーの使い方について情報が与えられた。参加者は、各週の始めにディフューザーを合った位置に設置することと、各週の終わりにディフューザーを交換／外すことのみを求められた。
【００９５】
各週、参加者には、１組の７つの睡眠日誌のアンケートが提供された。参加者は、各夜、指示されたとおりにアクチメーター（actimeter）を着用した。各朝、起床後１５分に、参加者は睡眠日誌に記入した。日誌は、睡眠の質および量、ならびに香りの認識についての質問を含んでいた。２週間の終わりの試験の完了の際に、参加者にインタビューを行い、試験中の彼らの体験について報告を受けた。
【００９６】
２０名の参加者は、睡眠日誌の測定尺度を、睡眠日誌のアンケートを使用して毎日記録した。睡眠日誌の測定尺度は、睡眠の質（睡眠の質の評点、朝の爽快な状態の評点）および睡眠の量（睡眠時間、推定の寝付くまでの時間、推定の目覚めた回数）に関係するものを含んでいた。これらの測定尺度は、確立された睡眠のパラメーターであり、睡眠のパフォーマンスの違いに影響されやすい。
【００９７】
睡眠の質の評点は、参加者によって毎日記録された：昨晩私は：非常によく眠れた（＝５）…とてもよく眠れた（＝４）…まあまあよく眠れた（＝３）…あまりよく眠れなかった（＝２）…全然よく眠れなかった（＝１）。より高い値は、したがって、よりよい睡眠の質と関連付けられた。各試験週の平均のアンケートの結果は、参加者が香りの存在下では香りなしの対照と比較して有意によく眠れたと報告したことを示した（ｐ＝０．００２）（図１）。
【００９８】
参加者はまた、彼らが起床１５分後にどの程度爽快に感じたかに関しても睡眠日誌に記した：起床１５分後に私は：とても爽快であった（＝５）…爽快であった（＝４）…どちらでもない（＝３）…疲れていた（＝２）…とても疲れていた（＝１）。より高い値は、したがって、参加者がより朝一番に爽快に感じたということと関連付けられた。各試験週の平均の結果は、参加者が香りの存在下では香りなしの対照と比較して有意に朝一番に爽快に感じたと報告したことを示した（ｐ＝０．０２２）（図２）。
【００９９】
毎日、睡眠日誌に、参加者は彼らが寝付くまでにかかったと思う推定時間を記録した：例えば、「私が覚えている限りでは、私は寝付くまでに…分かかった」。各週の平均の結果は、参加者が香料組成物の存在下で就寝した場合、香りなしの対照と比較して、彼らが寝付くまでにかかった時間が有意に少ないと知覚したことを示した（ｐ＝０．０４３）（図３）。
【０１００】
参加者はまた、夜間に彼らが目覚めた推定の回数の睡眠日誌への記録も行った：例えば、「私が覚えている限りでは、私は昨夜…回目覚めた」。各週の平均の結果は、参加者が香料組成物の存在下で就寝した場合、香りなしの対照と比較して、彼らが目覚めた頻度が有意に少ないと知覚したことを示した（ｐ＝０．０２）（図４）。
【０１０１】
平均睡眠時間を、参加者が寝付いたと思った推定時間（眠るまでに過ごした消灯時間）および朝の起床時間によって算出した。時間長を、次に各週で平均した。結果は、自己申告の睡眠時間は香料組成物を用いた週（７時間２９分）と対照週（７時間３６分）との間に有意な差がなかったことを示した（ｐ＝０．５）。
【０１０２】
夜間の睡眠の質をモニターするために、Philips Actiwatch（登録商標）を使用した。デバイスは、参加者によって腕時計のように着用され、小さくて軽量であった。Actiwatch（登録商標）は、毎夜、利き腕でない腕に縛り付け、翌朝起床の際に外した。小さな「イベントマーカー」ボタンを、参加者が押すことで、「就寝」および「朝の起床」を知らせることができた。Actiwatch（登録商標）は、睡眠中を通して３０秒間隔で身体の動きの記録を採った。アクチグラフィーモジュールは、以下により製造されたアクチグラフィーデバイスのいずれかの態様を含む：ActiGraph LLC、ActiTrainer（以前のCSA/MTI）、Ambulatory Monitoring Inc.、Motionlogger Actigraph、Cambridge Neurotechnology Actiwatch、Consultoria Eletronica Four Parameter Brazilian Actigraph、Gulf Coast Data Concepts USB Accelerometer、MetriSense, Inc. −CamNtech, Ltd., UK.製の活動モニターの製造業者、PAL Technologies Ltd −活動モニターの製造業者、Philips Respironics Actiwatch。
【０１０３】
３つのパラメーターを、Actiwatch（登録商標）の記録から解析した：睡眠効率（睡眠の質の全般的な測定尺度）、起きていた時間（寝付くまでにかかった時間を含み、夜間の覚醒の合計回数から算出した）、および、夜間中の覚醒して過ごした時間の眠って過ごした時間に対する割合。３つの測定尺度は全て、有効なソフトウエアアルゴリズムを基にしており、睡眠の研究においてよく確立された測定尺度である。
【０１０４】
Actiwareソフトウエアに備わっているアルゴリズムを使用して、睡眠効率スコアを算出した。効率スコアを、各夜について、各参加者について算出し、２つの試験週の間でＡＮＯＶＡを使用して比較した（対象、条件、週、週の日、の因子）。データは、９５％のレベルでの有意性には到達しなかったものの（ｐ＝０．０８０）、参加者が周囲の香りの存在下で就寝した場合、対照週と比較して睡眠効率スコアがより高くなる強い傾向があることを実証した（図５）。
【０１０５】
Actiwatch（登録商標）によって記録した２つの他のパラメーターは、起きていた時間（分）、および、夜間中の覚醒時間の割合（眠って過ごした時間に対する）であった。各パラメーターのスコアを、各夜について、各参加者について算出し、２つの試験週の間でＡＮＯＶＡを使用して比較した。起きていた時間の解析は、周囲の香りの存在下で就寝した参加者が、対照週と比較して夜間起きていた時間の減少の傾向を有していたことを実証した。しかしながら、これもまた、９５％のレベルでの有意性には到達しなかった（ｐ＝０．１）（図６）。
【０１０６】
この結果は、覚醒して過ごした時間の眠って過ごした時間に対する割合の解析によって支持された。夜の眠って過ごした時間と比較した、覚醒して過ごした時間の割合の統計解析は、参加者が周囲の香りの存在下で就寝した夜間中には、香りなしの対照の夜と比較してより少ない時間を覚醒して過ごしたことを示した。しかしながら、これもまた、９５％のレベルでの有意性には到達しなかった（ｐ＝０．０７８）（図７）。
【０１０７】
アクチメーターによって記録された睡眠の客観的な測定尺度と毎日の睡眠日誌に記録された自己申告の回答（香りありおよび香りなしのデータを一緒に組み合わせた）との間に正確な整合性があったか否かを決定するために、さらなる解析を行った。
【０１０８】
毎日の睡眠日誌に報告された睡眠の質の評点とアクチメーターによって記録された客観的なパラメーターとの間で相関分析を行った。結果は、自己申告の睡眠の質のレベル（日誌）と睡眠効率（アクチメーター）との間に有意な相関性があったことを示した（ｐ＝０．００５）。日誌からのよりよい睡眠の質の評点は、より高い睡眠効率スコアと関連していた（図８）。これは、参加者が毎日の睡眠日誌で報告した睡眠の質のスコアとアクチメーターによってモニターされた睡眠の質の客観的な測定尺度との間に良好な整合性があったことを示唆する。
【０１０９】
同様に、毎日の睡眠日誌に報告された起床後の爽快感の評点とアクチメーターによって記録された客観的なパラメーターとの間で相関分析を行った。結果の視覚的な点検によると、有意ではなかったものの、参加者が起床後にどの程度爽快に感じたか（日誌）と睡眠効率（アクチメーター）との間におよその整合性があったことが示唆された（ｐ＝Ｎ／Ｓ；図９）。これは、アクチメーターのデータとの整合性の観点では、この起床後の爽快感のスコアは睡眠の質のスコアほど有効ではないことを示唆する。
【０１１０】
以下、本発明を、例、図面および試験例を参照して、より詳細に記述する。しかしながら、これらの例は例証のみを目的としているものであり、本発明の範囲を限定するものと解釈されるべきではないことが、理解されるべきである。
【０１１１】
図１〜９は、以下の一連のグラフである：
図１  香りなしの対照週と比較した、香りを用いた週の睡眠の質の評点。
図２  香りなしの対照週と比較した、香りを用いた週の起床後の爽快感の評点。
図３  香りなしの対照週と比較した、香りを用いた週の寝付くまでにかかった推定時間（分）の比較。
図４  香りなしの対照週と比較した、香りを用いた週の夜間に目覚めた平均回数の比較。
図５  香りなしの対照週と比較した、香りを用いた週の間におけるアクチメーターの記録から算出された睡眠効率スコア。
図６  香りなしの対照週と比較した、香りを用いた週の間におけるアクチメーターの記録から算出された起きていた時間のスコア（寝付くまでにかかった時間を含む）。
図７  香りなしの対照週と比較した、香りを用いた週の間におけるアクチメーターの記録から算出された覚醒時間の割合。
図８  アクチメーターの睡眠効率スコアと、毎日の睡眠日誌からの自己申告の睡眠の質の評点との関係性。「全然よく眠れなかった」については睡眠日誌の回答はなかった。
図９  アクチメーターの睡眠効率スコアと、毎日の睡眠日誌からの自己申告の参加者が起床後にどの程度爽快に感じたかの評点との関係性。
図１０  図１０は、タスクのデザインの概略図である。タスクは、１０回の精神的な、数学タスク（太い点線の境界線）および１０回のリラクゼーションタスク（細い点線の境界線）から構成された。リラクゼーションタスクの間、ＥＥＧを記録しながら匂いを提示した。アンケートの評点は、各リラクゼーションの終わりに回収した。
【０１１２】
例
表１に説明された香り組成物を調製し、種々の試験プロトコルに供した。香り４１（＝例示の香り４）および香り４７（＝例示の香り６）とラベル付けされた香りは、本発明による香り組成物である一方、香り４４（例示の香り１）および香り３７は、強調された固有の匂い属性についてのガイドライン値を破らない本発明の条件に合致しない比較例である。
【０１１３】
【表１】
2018510941.tif 000002
表１
「Sleep Good」の香りの範囲値と比較した、試験した香りの範囲値（最小および最大）。太字のイタリック体の数字のセルは、推奨範囲を破っていることを表示する。最終行は、推奨できるか否かの結果（ＹＥＳまたはＮＯ）、すなわち、試験した香りが睡眠向上特性を有するとみなされるか否かを説明する。
【０１１４】
例示の香り１を、例示の香り２、例示の香り３、例示の香り４、例示の香り５、例示の香り６および例示の香り７の香りと比較する。
香りを、前に概説した枠組みにおけるＥＥＧ、および検証試験を通じて測定したところ、以下の結果が得られた：
【０１１５】
【表２】
2018510941.tif 000003
表２
試験した香りのSandman classifierおよび検証尺度の値
検証尺度＝睡眠％＋（睡眠の質）２
【０１１６】
睡眠％は、アクティグラフィーにおけるアルゴリズムから取られた測定尺度であって、睡眠の質の全般的な測定尺度であり、一方、睡眠の質は、１〜５の値を取る主観的な測定尺度である。
【０１１７】
例示の香り１のSandman classifier値を、例示の香り２、例示の香り３、例示の香り４、例示の香り５、例示の香り６または例示の香り７のいずれかの同等の値と直接比較することによって、例示の香り１が他のいずれの香りよりも低いSandman classifier値を有することがわかる。これに加えて、例示の香り１のSandman classifier値は、指定した１．３５の閾値を下回る。したがって、例示の香り１が他のいずれの香りよりも大幅に睡眠の向上性が低いことを予測することができる。実際に、我々の検証尺度は、正にこれを示している。
【国際調査報告】
2018510941.tif 000004
2018510941.tif 000005
2018510941.tif 000006
2018510941.tif 000007
2018510941.tif 000008
2018510941.tif 000009